(57)【要約】【課題】ウェブサイト管理者及びユーザの手を煩わせることなく適切に著作物を保護することが可能な作成方法等を提供する。【解決手段】ウェブサーバは、コンテンツ、該コンテンツの著作権情報及び該コンテンツの紹介を実行するための実行情報を作成装置へ送信する。作成装置は、送信されたコンテンツ、著作権情報及び実行情報を受信する。作成装置は、送信された実行情報に関連して、コンテンツの紹介が実行された場合、送信されたコンテンツの著作権情報を抽出する。そして、ウェブページを作成するための作成プログラムに、コンテンツのアドレス及び抽出した著作権情報を送出する。【選択図】図４
2007102735.tif 000002
【特許請求の範囲】
【請求項１】
コンテンツが格納されたウェブサーバに通信網を介して接続される作成装置を用いて前記コンテンツを紹介するためのウェブページを作成する作成方法において、
前記ウェブサーバにより、コンテンツ、該コンテンツの著作権情報及び該コンテンツの紹介を実行するための実行情報を前記作成装置へ送信する送信ステップと、
前記送信された実行情報に関連して、コンテンツの紹介が実行された場合、前記作成装置の制御部により、前記送信されたコンテンツの著作権情報を抽出するステップと、
前記ウェブページを作成するための作成プログラムに、前記コンテンツのアドレス及び前記抽出した著作権情報を前記作成装置の制御部により、送出する送出ステップと
を備えることを特徴とする作成方法。
【請求項２】
前記コンテンツに関するコメントを前記作成装置の入力部により受け付けるステップと、
該受け付けたコメントに対応づけて前記送出ステップにより送出されたコンテンツのアドレス及び著作権情報を、前記通信網を介して接続される公開用サーバコンピュータへ前記作成装置の制御部により、出力する出力ステップと
をさらに備えることを特徴とする請求項１に記載の作成方法。
【請求項３】
コンテンツが格納されたウェブサーバ及び該ウェブサーバに通信網を介して接続され、前記コンテンツを紹介するためのウェブページを作成する作成装置から構成される情報紹介システムにおいて、
前記ウェブサーバは、コンテンツ、該コンテンツの著作権情報及び該コンテンツの紹介を実行するための実行情報を前記作成装置へ送信する送信手段を備え、
前記作成装置は、
制御部と、
前記送信された実行情報に関連して、コンテンツの紹介が実行された場合、前記送信されたコンテンツの著作権情報を前記制御部により抽出する手段と、
前記ウェブページを作成するための作成プログラムに、前記コンテンツのアドレス及び前記抽出した著作権情報を前記制御部により送出する送出手段と
を備えることを特徴とする情報紹介システム。
【請求項４】
前記作成装置は、前記コンテンツに関するコメントを入力部から受け付ける手段と、
該受け付けたコメントに対応づけて前記送出手段により送出されたコンテンツのアドレス及び著作権情報を、前記通信網を介して接続される公開用サーバコンピュータへ前記制御部により出力する出力手段と
をさらに備えることを特徴とする請求項３に記載の情報紹介システム。
【請求項５】
前記送信手段は、前記コンテンツの公開を許可する期間情報をさらに送信するよう構成してあり、
前記作成装置は、前記送信された期間情報に基づいて、前記コンテンツの紹介期間が終了する旨の情報を前記制御部により表示する手段をさらに備えることを特徴とする請求項３または４に記載の情報紹介システム。
【請求項６】
前記作成装置は、紹介を拒否するアクセス先の拒否アドレスを記憶する手段をさらに備え、
前記出力手段は、前記受け付けたコメントに対応づけてコンテンツのアドレス、著作権情報及び該コンテンツに対応する拒否アドレスを前記公開用サーバコンピュータへ出力するよう構成してあることを特徴とする請求項４に記載の情報紹介システム。
【請求項７】
コンテンツが格納されたウェブサーバ、前記コンテンツを紹介するためのウェブページを作成する作成装置及び前記コンテンツの公開用サーバコンピュータから構成される情報紹介システムにおいて、
前記ウェブサーバは、コンテンツ、該コンテンツの紹介を実行するための実行情報及び前記公開用サーバコンピュータのアドレスを前記作成装置へ送信する送信手段を備え、
前記作成装置は、
制御部と、
前記送信された実行情報に関連して、コンテンツの紹介が実行された場合、前記公開用サーバコンピュータのアドレスを参照して、前記コンテンツのアドレスを前記公開用サーバコンピュータへ前記制御部により送信する手段とを備え、
前記公開用サーバコンピュータは、
公開用制御部と、
前記送信されたコンテンツのアドレスを参照して、前記ウェブサーバへアクセスし、前記コンテンツの著作権情報を前記公開用制御部により取得する手段と、
該取得した著作権情報及び前記コンテンツのアドレスを対応づけて記憶する記憶手段と
を備えることを特徴とする情報紹介システム。
【請求項８】
前記作成装置は、前記コンテンツに関するコメントを入力部から受け付ける手段と、
該受け付けたコメントを公開用サーバコンピュータへ前記制御部により出力する出力手段とを備え、
前記記憶手段は前記作成装置から送信されたコメントを、前記記憶したコンテンツのアドレス及び著作権情報に対応づけて記憶するよう構成してある
ことを特徴とする請求項７に記載の情報紹介システム。
【請求項９】
コンテンツを紹介するためのウェブページを制御部により作成する作成装置において、
外部から、コンテンツ、該コンテンツの著作権情報及び該コンテンツの紹介を実行するための実行情報を受信する受信手段と、
前記受信した実行情報に関連して、コンテンツの紹介が実行されたと前記制御部が判断した場合、前記送信されたコンテンツの著作権情報を前記制御部により抽出する手段と、
前記ウェブページを作成するための作成プログラムに、前記コンテンツのアドレス及び前記抽出した著作権情報を前記制御部により送出する送出手段と
を備えることを特徴とする作成装置。
【請求項１０】
前記コンテンツに関するコメントを入力部から受け付ける手段と、
該受け付けたコメントに対応づけて前記送出手段により送出されたコンテンツのアドレス及び著作権情報を制御部により外部へ出力する出力手段と
をさらに備えることを特徴とする請求項９に記載の作成装置。
【請求項１１】
前記受信手段は、前記コンテンツの公開を許可する期間情報をさらに受信するよう構成してあり、
前記送信された期間情報に基づいて、前記コンテンツの紹介期間が終了する旨の情報を前記制御部により表示する手段をさらに備えることを特徴とする請求項９または１０に記載の作成装置。
【請求項１２】
紹介を拒否するアクセス先の拒否アドレスを記憶部に記憶する手段をさらに備え、
前記出力手段は、前記受け付けたコメントに対応づけてコンテンツのアドレス、著作権情報及び該コンテンツに対応する拒否アドレスを出力するよう構成してあることを特徴とする請求項１０に記載の作成装置。
【請求項１３】
コンテンツを紹介するためのウェブページを制御部により作成する作成装置において、
紹介するコンテンツの選択を入力部から受け付ける手段と、
該受け付けたコンテンツのアドレス及び著作権情報を前記制御部により抽出する手段と、
前記ウェブページを作成するための作成プログラムに、前記コンテンツのアドレス及び前記抽出した著作権情報を前記制御部により送出する送出手段と
を備えることを特徴とする作成装置。
【請求項１４】
前記コンテンツに関するコメントを前記入力部から受け付ける手段と、
該受け付けたコメントに対応づけて前記送出手段により送出されたコンテンツのアドレス及び著作権情報を前記制御部により出力する出力手段と
をさらに備えることを特徴とする請求項１３に記載の作成装置。
【請求項１５】
コンテンツを紹介するためのウェブページを、制御部を備えるコンピュータにより作成させるコンピュータプログラムにおいて、
コンピュータの制御部により、外部からコンテンツ、該コンテンツの著作権情報及び該コンテンツの紹介を実行するための実行情報を受信させる受信ステップと、
コンピュータにより、前記受信させた実行情報に関連して、コンテンツの紹介が実行されたと前記制御部が判断した場合、前記送信されたコンテンツの著作権情報を前記制御部により抽出させるステップと、
コンピュータにより、前記ウェブページを作成するための作成プログラムに、前記コンテンツのアドレス及び前記抽出した著作権情報を前記制御部により送出させる送出ステップと
を備えることを特徴とするコンピュータプログラム。
【請求項１６】
コンテンツを紹介するためのウェブページを、制御部を備えるコンピュータにより作成させるコンピュータプログラムにおいて、
コンピュータに、紹介するコンテンツの選択を入力部から受け付けさせるステップと、
コンピュータに、該受け付けさせたコンテンツのアドレス及び著作権情報を前記制御部により抽出させるステップと、
コンピュータに、前記ウェブページを作成するための作成プログラムに、前記コンテンツのアドレス及び前記抽出させた著作権情報を前記制御部により送出させる送出ステップと
を備えることを特徴とするコンピュータプログラム。
【発明の詳細な説明】
【技術分野】
【０００１】
本発明は、コンテンツが格納されたウェブサーバに通信網を介して接続される作成装置を用いて前記コンテンツを紹介するためのウェブページを作成する作成方法、該方法に用いられる情報紹介システム及び作成装置、並びに該作成装置の機能を実現するためのコンピュータプログラムに関し、特に紹介するウェブページ内のコンテンツの著作権情報を適切に保護する技術に関する。
【背景技術】
【０００２】
近年、インターネットのウェブサイトに存在するニュース記事、画像または特定ウェブサイトへのハイパーリンクを設定し、これを紹介すべくそこに自分の評論を書き加えた記事を時系列に配置するいわゆるブログ（blogまたはWeblog）が普及している。ブログの作成にあたってはＢＬＯＧＧＥＲまたはＭＯＶＡＢＬＥＴＹＰＥ等のソフトウェアを用いることによりブラウザ上で容易に、ブログを作成することができる。
【特許文献１】特開２００５−２３５１１８号公報
【発明の開示】
【発明が解決しようとする課題】
【０００３】
しかしながら、ウェブサイトに掲載されている画像、動画または文章等のコンテンツには著作権が発生していることが多いところ、ユーザはこの著作権を意識することなく、ユーザのブログ内にコンテンツを表示していることが多いという問題があった。その一方で、ユーザが個別にウェブサイト運用者に著作権の許諾を得るというのも、手続きが煩雑となる。
【０００４】
また、ニュースが掲載されたウェブサイトの画像または動画等は、その掲載期間が契約等により設定されており、ユーザがブログで画像を紹介したとしても、期間が徒過するという問題もあった。
【０００５】
さらに、紹介するコンテンツによっては、道徳上または法律上各国の規制にそぐわないこともあり、自由にコンテンツを紹介することができるブログにおいても、一定のアクセス制限を課す必要がある。
【０００６】
本発明は斯かる事情に鑑みてなされたものであり、その目的は、紹介するコンテンツの著作権情報を適切に処理することにより、ウェブサイト管理者及びユーザの手を煩わせることなく適切に著作物を保護することが可能な作成方法、情報紹介システム、作成装置及びコンピュータプログラムを提供することにある。
【０００７】
また、本発明の他の目的は、コンテンツを公開する期間情報を用いて処理することにより、掲載期間が徒過したコンテンツを適切に扱うことが可能な作成方法等を提供することにある。
【０００８】
また、本発明の他の目的は、アクセスコントロールを行うことにより、各国の道徳または法律に反しない作成方法等を提供することにある。
【課題を解決するための手段】
【０００９】
本発明に係る作成方法は、コンテンツが格納されたウェブサーバに通信網を介して接続される作成装置を用いて前記コンテンツを紹介するためのウェブページを作成する作成方法において、前記ウェブサーバにより、コンテンツ、該コンテンツの著作権情報及び該コンテンツの紹介を実行するための実行情報を前記作成装置へ送信する送信ステップと、前記送信された実行情報に関連して、コンテンツの紹介が実行された場合、前記作成装置の制御部により、前記送信されたコンテンツの著作権情報を抽出するステップと、前記ウェブページを作成するための作成プログラムに、前記コンテンツのアドレス及び前記抽出した著作権情報を前記作成装置の制御部により、送出する送出ステップとを備えることを特徴とする。
【００１０】
本発明に係る作成方法は、前記コンテンツに関するコメントを前記作成装置の入力部により受け付けるステップと、該受け付けたコメントに対応づけて前記送出ステップにより送出されたコンテンツのアドレス及び著作権情報を、前記通信網を介して接続される公開用サーバコンピュータへ前記作成装置の制御部により、出力する出力ステップとをさらに備えることを特徴とする。
【００１１】
本発明に係る情報紹介システムは、コンテンツが格納されたウェブサーバ及び該ウェブサーバに通信網を介して接続され、前記コンテンツを紹介するためのウェブページを作成する作成装置から構成される情報紹介システムにおいて、前記ウェブサーバは、コンテンツ、該コンテンツの著作権情報及び該コンテンツの紹介を実行するための実行情報を前記作成装置へ送信する送信手段を備え、前記作成装置は、制御部と、前記送信された実行情報に関連して、コンテンツの紹介が実行された場合、前記送信されたコンテンツの著作権情報を前記制御部により抽出する手段と、前記ウェブページを作成するための作成プログラムに、前記コンテンツのアドレス及び前記抽出した著作権情報を前記制御部により送出する送出手段とを備えることを特徴とする。
【００１２】
本発明に係る情報紹介システムは、前記作成装置は、前記コンテンツに関するコメントを入力部から受け付ける手段と、該受け付けたコメントに対応づけて前記送出手段により送出されたコンテンツのアドレス及び著作権情報を、前記通信網を介して接続される公開用サーバコンピュータへ前記制御部により出力する出力手段とをさらに備えることを特徴とする。
【００１３】
本発明に係る情報紹介システムは、前記送信手段は、前記コンテンツの公開を許可する期間情報をさらに送信するよう構成してあり、前記作成装置は、前記送信された期間情報に基づいて、前記コンテンツの紹介期間が終了する旨の情報を前記制御部により表示する手段をさらに備えることを特徴とする。
【００１４】
本発明に係る情報紹介システムは、前記作成装置は、紹介を拒否するアクセス先の拒否アドレスを記憶する手段をさらに備え、前記出力手段は、前記受け付けたコメントに対応づけてコンテンツのアドレス、著作権情報及び該コンテンツに対応する拒否アドレスを前記公開用サーバコンピュータへ出力するよう構成してあることを特徴とする。
【００１５】
本発明に係る情報紹介システムは、コンテンツが格納されたウェブサーバ、前記コンテンツを紹介するためのウェブページを作成する作成装置及び前記コンテンツの公開用サーバコンピュータから構成される情報紹介システムにおいて、前記ウェブサーバは、コンテンツ、該コンテンツの紹介を実行するための実行情報及び前記公開用サーバコンピュータのアドレスを前記作成装置へ送信する送信手段を備え、前記作成装置は、制御部と、前記送信された実行情報に関連して、コンテンツの紹介が実行された場合、前記公開用サーバコンピュータのアドレスを参照して、前記コンテンツのアドレスを前記公開用サーバコンピュータへ前記制御部により送信する手段とを備え、前記公開用サーバコンピュータは、公開用制御部と、前記送信されたコンテンツのアドレスを参照して、前記ウェブサーバへアクセスし、前記コンテンツの著作権情報を前記公開用制御部により取得する手段と、該取得した著作権情報及び前記コンテンツのアドレスを対応づけて記憶する記憶手段とを備えることを特徴とする。
【００１６】
本発明に係る情報紹介システムは、前記作成装置は、前記コンテンツに関するコメントを入力部から受け付ける手段と、該受け付けたコメントを公開用サーバコンピュータへ前記制御部により出力する出力手段とを備え、前記記憶手段は前記作成装置から送信されたコメントを、前記記憶したコンテンツのアドレス及び著作権情報に対応づけて記憶するよう構成してあることを特徴とする。
【００１７】
本発明に係る作成装置は、コンテンツを紹介するためのウェブページを制御部により作成する作成装置において、外部から、コンテンツ、該コンテンツの著作権情報及び該コンテンツの紹介を実行するための実行情報を受信する受信手段と、前記受信した実行情報に関連して、コンテンツの紹介が実行されたと前記制御部が判断した場合、前記送信されたコンテンツの著作権情報を前記制御部により抽出する手段と、前記ウェブページを作成するための作成プログラムに、前記コンテンツのアドレス及び前記抽出した著作権情報を前記制御部により送出する送出手段とを備えることを特徴とする。
【００１８】
本発明に係る作成装置は、前記コンテンツに関するコメントを入力部から受け付ける手段と、該受け付けたコメントに対応づけて前記送出手段により送出されたコンテンツのアドレス及び著作権情報を制御部により外部へ出力する出力手段とをさらに備えることを特徴とする。
【００１９】
本発明に係る作成装置は、前記受信手段は、前記コンテンツの公開を許可する期間情報をさらに受信するよう構成してあり、前記送信された期間情報に基づいて、前記コンテンツの紹介期間が終了する旨の情報を前記制御部により表示する手段をさらに備えることを特徴とする。
【００２０】
本発明に係る作成装置は、紹介を拒否するアクセス先の拒否アドレスを記憶部に記憶する手段をさらに備え、前記出力手段は、前記受け付けたコメントに対応づけてコンテンツのアドレス、著作権情報及び該コンテンツに対応する拒否アドレスを出力するよう構成してあることを特徴とする。
【００２１】
本発明に係る作成装置は、コンテンツを紹介するためのウェブページを制御部により作成する作成装置において、紹介するコンテンツの選択を入力部から受け付ける手段と、該受け付けたコンテンツのアドレス及び著作権情報を前記制御部により抽出する手段と、前記ウェブページを作成するための作成プログラムに、前記コンテンツのアドレス及び前記抽出した著作権情報を前記制御部により送出する送出手段とを備えることを特徴とする。
【００２２】
本発明に係る作成装置は、前記コンテンツに関するコメントを前記入力部から受け付ける手段と、該受け付けたコメントに対応づけて前記送出手段により送出されたコンテンツのアドレス及び著作権情報を前記制御部により出力する出力手段とをさらに備えることを特徴とする。
【００２３】
本発明に係るコンピュータプログラムは、コンテンツを紹介するためのウェブページを、制御部を備えるコンピュータにより作成させるコンピュータプログラムにおいて、コンピュータの制御部により、外部からコンテンツ、該コンテンツの著作権情報及び該コンテンツの紹介を実行するための実行情報を受信させる受信ステップと、コンピュータにより、前記受信させた実行情報に関連して、コンテンツの紹介が実行されたと前記制御部が判断した場合、前記送信されたコンテンツの著作権情報を前記制御部により抽出させるステップと、コンピュータにより、前記ウェブページを作成するための作成プログラムに、前記コンテンツのアドレス及び前記抽出した著作権情報を前記制御部により送出させる送出ステップとを備えることを特徴とする。
【００２４】
本発明に係るコンピュータプログラムは、コンテンツを紹介するためのウェブページを、制御部を備えるコンピュータにより作成させるコンピュータプログラムにおいて、コンピュータに、紹介するコンテンツの選択を入力部から受け付けさせるステップと、コンピュータに、該受け付けさせたコンテンツのアドレス及び著作権情報を前記制御部により抽出させるステップと、コンピュータに、前記ウェブページを作成するための作成プログラムに、前記コンテンツのアドレス及び前記抽出させた著作権情報を前記制御部により送出させる送出ステップとを備えることを特徴とする。
【００２５】
本発明にあっては、情報紹介システムはコンテンツが格納されたウェブサーバ及び該ウェブサーバに通信網を介して接続され、前記コンテンツを紹介するためのウェブページを作成する作成装置から構成される。ウェブサーバは、コンテンツ、該コンテンツの著作権情報及び該コンテンツの紹介を実行するための実行情報を作成装置へ送信する。作成装置は、送信されたコンテンツ、著作権情報及び実行情報を受信する。作成装置は、送信された実行情報に関連して、コンテンツの紹介が実行されたと制御部が判断した場合、制御部は送信されたコンテンツの著作権情報を抽出する。そして、ウェブページを作成するための作成プログラムに、コンテンツのアドレス及び抽出した著作権情報を制御部により送出する。
【００２６】
そして、作成装置は、コンテンツに関するコメントを入力部から受け付け、この受け付けたコメントに対応づけて送出されたコンテンツのアドレス及び著作権情報を、通信網を介して接続される公開用サーバコンピュータへ制御部により出力する。このように、ユーザが紹介を希望するコンテンツの紹介を実行することにより、当該コンテンツの著作権情報が、作成プログラムへ送出されて、公開用サーバコンピュータへ出力されるので、コンテンツを管理するウェブサイト管理者及びユーザの手を煩わせることなく、簡単な処理により著作物を適切に保護することが可能となる。
【００２７】
また、本発明にあっては、ウェブサーバはコンテンツの公開を許可する期間情報を作成装置へ送信する。この期間情報を受信した作成装置の制御部は、当該送信された期間情報に基づいて、コンテンツの紹介期間が終了する旨の情報を表示するので、ユーザはニュース等のウェブサイトにおいて画像の掲載期間が決まっているサイトを紹介する場合でも、容易に掲載期間の終了時期を把握できることになる。
【００２８】
また、本発明にあっては、作成装置の制御部は、紹介を拒否するアクセス先の拒否アドレスを記憶部に記憶する。作成装置は、コンテンツに対して受け付けたコメントに対応づけて、コンテンツのアドレス、著作権情報及び当該コンテンツに対応する拒否アドレスを公開用サーバコンピュータへ出力する。そして、公開用サーバコンピュータは、この拒否アドレス情報及びアクセスを試みるコンピュータのアドレスを参照することにより、当該コンテンツの閲覧を制限するようにしたので、ユーザは各国の道徳または法律に応じて閲覧規制を課すことが可能であり、またコンテンツを提供するウェブサイト管理者も、安心してユーザによるコンテンツの紹介を許可することが可能となる。
【００２９】
また、本発明にあっては、作成装置は紹介するコンテンツの選択を入力部から受け付ける。そして受け付けたコンテンツのアドレス及び著作権情報を制御部により抽出する。制御部は、ウェブページを作成するための作成プログラムに、コンテンツのアドレス及び抽出した著作権情報を送出する。作成装置は、コンテンツに関するコメントを入力部から受け付け、受け付けたコメントに対応づけて送出されたコンテンツのアドレス及び著作権情報を出力するように構成したので、著作権を考慮しつつ、ユーザは容易にウェブサイトに展開されたコンテンツを紹介することが可能となる。
【００３０】
また、本発明にあっては、情報紹介システムは、コンテンツが格納されたウェブサーバ、コンテンツを紹介するためのウェブページを作成する作成装置及びコンテンツの公開用サーバコンピュータが相互に通信網を介して接続されている。まずウェブサーバは、作成装置の制御部からの要求に応じて、コンテンツ、コンテンツの紹介を実行するための実行情報及び公開用サーバコンピュータのアドレスを送信する。作成装置は、送信された実行情報に関連して、コンテンツの紹介が実行された場合、送信された公開用サーバコンピュータのアドレスを参照して、公開用サーバコンピュータへアクセスすると共に、コンテンツのアドレスを公開用サーバコンピュータへ制御部により送信する。公開用サーバコンピュータの公開用制御部は、送信されたコンテンツのアドレスを受信し、当該コンテンツのアドレスを参照して、ウェブサーバへアクセスする。そして、公開用制御部はウェブサーバに対し、コンテンツのアドレスに係る著作権情報の取得要求を行う。ウェブサーバはこの取得要求に応じてコンテンツに対応する著作権情報を公開用サーバコンピュータへ送信する。これにより公開用サーバコンピュータの公開制御部はコンテンツの著作権情報を取得する。公開用サーバコンピュータの公開用制御部は取得した著作権情報及びコンテンツのアドレスを対応づけて記憶する。
【００３１】
さらに作成装置は、コンテンツに関するコメントを入力部から受け付け、受け付けたコメントを公開用サーバコンピュータへ制御部により出力する。公開用サーバコンピュータは、作成装置から送信されたコメントを、すでに記憶したコンテンツのアドレス及び著作権情報に対応づけて記憶する。このように、ユーザのコンテンツの紹介実行があった場合に、著作権情報を取得するようにしたので、コンテンツを簡単な構成で的確に保護することが可能となる。
【発明の効果】
【００３２】
本発明にあっては、作成装置は、送信された実行情報に関連して、コンテンツの紹介が実行された場合、送信されたコンテンツの著作権情報を抽出し、ウェブページを作成するための作成プログラムに、コンテンツのアドレス及び抽出した著作権情報を送出するので、コンテンツを管理するウェブサイト管理者及びユーザの手を煩わせることなく、簡単な処理により著作物を適切に保護することが可能となる。
【００３３】
また、本発明にあっては、期間情報を受信した作成装置は、当該送信された期間情報に基づいて、コンテンツの紹介期間が終了する旨の情報を表示するので、ユーザはニュース等のウェブサイトにおいて画像の掲載期間が決まっているサイトを紹介する場合でも、容易に掲載期間の終了時期を把握できることになる。
【００３４】
また、本発明にあっては、作成装置は、コンテンツに対応する拒否アドレスを公開用サーバコンピュータへ出力し、公開用サーバコンピュータは、この拒否アドレス情報及びアクセスを試みるコンピュータのアドレスを参照することにより、当該コンテンツの閲覧を制限するようにしたので、ユーザは各国の道徳または法律に応じて閲覧規制を課すことが可能となる。またコンテンツを提供するウェブサイト管理者も、閲覧規制が行われることにより安心してユーザによるコンテンツの紹介を許可することが可能となる。
【００３５】
また、本発明にあっては、受け付けたコンテンツのアドレス及び著作権情報を制御部により抽出し、ウェブページを作成するための作成プログラムに、コンテンツのアドレス及び抽出した著作権情報を送出する。作成装置は、コンテンツに関するコメントを入力部から受け付け、受け付けたコメントに対応づけて送出されたコンテンツのアドレス及び著作権情報を出力するように構成したので、著作権を考慮しつつ、ユーザは簡易な構成でウェブサイトに展開されたコンテンツを紹介することが可能になる。
【００３６】
また、本発明にあっては、コンテンツの紹介が実行された場合、実行情報と共に送信されたアドレスに係る公開用サーバコンピュータが、コンテンツに対応する著作権情報をウェブサーバから取得するようにしたので、コンテンツを紹介するユーザが特に意識することなく著作権に関する情報を表示でき、コンテンツの著作権を適切に保護することが可能となる等、本発明は優れた効果を奏する。
【発明を実施するための最良の形態】
【００３７】
実施の形態１
図１は本発明に係る情報紹介システムの構成を示す概要図である。情報紹介システムＳにはインターネット等の通信網Ｎ（以下、インターネットＮ）を介して、作成装置１、ウェブサーバ２、公開用サーバコンピュータ３及び第３者のコンピュータ４が相互に接続されている。作成装置１は公知のパーソナルコンピュータ等が用いられ、以下では作成装置１をユーザコンピュータ１として説明する。ウェブサーバ２及び公開用サーバコンピュータ３は公知のサーバコンピュータを用いることができ、公開用サーバコンピュータ３をブログサーバ３であるものとして説明する。また第３者のコンピュータ４もパーソナルコンピュータ等が用いられる。以下の実施例においては、紹介するコンテンツを画像とし、ユーザがユーザコンピュータ１を用いて、当該画像をいわゆるブログにより紹介する形式を説明するが、コンテンツは著作権にかかわるものであれば、動画、文章等であってもよい。
【００３８】
ウェブサーバ２はコンテンツを格納しており、インターネットＮを介して該コンテンツが掲示されたウェブページを公開している。なお、本実施の形態においては、ウェブサーバ２は新聞記事に関するウェブページを公開しているが、これに限るものではない。ユーザはユーザコンピュータ１を用いてウェブサーバ２へアクセスし、ウェブページを閲覧する。ユーザはウェブページ内に第３者への公開を希望する画像等のコンテンツが存在する場合、これに関するコメント等を付したブログを作成する。作成されたブログは、ブログサーバ３にアップロード（出力）され、第３者のコンピュータ４によりブログサーバ３へアクセスすることにより、この紹介されたコンテンツ及びこれに関するコメント等を閲覧することができる。
【００３９】
図２はユーザコンピュータ１及びブログサーバ３のハードウェア構成を示すブロック図である。ユーザコンピュータ１は制御部であるＣＰＵ(Central Processing Unit)１１，ＲＡＭ(Random Access Memory)１２，記憶部１５，入力部１３，表示部１４及び通信部１６を含んで構成される。ＣＰＵ１１は、バス１７を介してユーザコンピュータ１のハードウェア各部と接続されていて、それらを制御すると共に、ハードディスク等の記憶部１５に格納された制御プログラム１５１に従って、種々のソフトウェア的機能を実行する。制御プログラム１５１は、Ｃ言語またはＪＡＶＡ（登録商標）等のプログラミング言語で記述されている。
【００４０】
ＲＡＭ１２は、ＳＲＡＭ(Static Random Access Memory)またはフラッシュメモリ等で構成され、ソフトウェアの実行時に発生する一時的なデータを記憶する。入力部１３は例えばキーボード、マウス等から構成され、ユーザが入力した情報をＣＰＵ１１へ出力する。表示部１４はＬＣＤ(Liquid Crystal Digital)ディスプレイ等で構成される。なお、入力部１３及び表示部１４はタッチパネルにより一体的に構成するようにしても良い。
【００４１】
記憶部１５にはコンテンツを紹介するためのウェブページ、すなわちブログを作成するための作成プログラムとして、ウェブブラウザ１５２が記憶されている。さらに、記憶部１５にはコンテンツの公開を許可するための期間情報ファイル１５３が記憶されている。期間情報ファイル１５３には紹介するコンテンツのＵＲＬ(Uniform Resource Locate)等のアドレスに対応づけて、公開を許可するための期間が記憶されている。
【００４２】
ブログサーバ３は公開用制御部であるＣＰＵ３１，ＲＡＭ３２，記憶部３５，入力部３３，表示部３４及び通信部３６を含んで構成される。ＣＰＵ３１は、バス３７を介してブログサーバ３のハードウェア各部と接続されていて、それらを制御すると共に種々のソフトウェア的機能を実行する。ＲＡＭ３２は、ＳＲＡＭまたはフラッシュメモリ等で構成され、ソフトウェアの実行時に発生する一時的なデータを記憶する。入力部３３は例えばキーボード、マウス等から構成され、ユーザが入力した情報をＣＰＵ３１へ出力する。表示部３４はＬＣＤディスプレイ等で構成される。
【００４３】
記憶部３５には各ユーザがアップロードしたブログファイル３５１，３５１，・・・が記憶されている。権限のあるユーザはブログファイル３５１にアクセスでき、その内容を適宜変更することができる。ブログファイル３５１は第３者に公開されており、第３者は第３者のコンピュータ４にブログファイル３５１に対応するＵＲＬを入力することにより、内容を閲覧することができる。
【００４４】
図３はウェブサーバ２のハードウェア構成を示すブロック図である。ウェブサーバ２もブログサーバ３と同様にＣＰＵ２１，ＲＡＭ２２，記憶部２５，入力部２３，表示部２４及び通信部２６を含んで構成される。各部の機能はブログサーバと同様であるので説明は省略する。記憶部２５にはウェブページファイル２５１、ＩＤ管理ファイル２５２及び期間情報ファイル２５３が記憶されている。
【００４５】
ウェブページファイル２５１にはニュース記事及び画像等のウェブページが随時更新されて記憶されている。ＩＤ管理ファイル２５２は本発明に係る機能を利用することのできるユーザＩＤがパスワードに対応づけて記憶されている。期間情報ファイル２５４にはウェブページ内のコンテンツに対応させて期間情報が記憶されている。すなわち、ニュースに掲載される画像等には契約により掲載期間が決まっており、ＣＰＵ２１は期間情報ファイル２５４のコンテンツに対する期間情報を参照し、期間情報を徒過したと判断した場合は、ウェブページファイル２５１から関連するコンテンツを消去する。
【００４６】
図４はウェブサーバ２にアクセスすることにより表示されるウェブページのイメージを示す説明図である。ユーザコンピュータ１はウェブブラウザ１５２を立ち上げ、ＨＴＴＰ(Hyper Text Transfer Protocol)を用いてウェブサーバ２にアクセスする。ユーザはウェブページの閲覧に先立ちユーザＩＤ及びパスワードを入力部１３から入力する。ＣＰＵ１１は入力されたＩＤ及びパスワードを、通信部１６を介してウェブサーバ２へ送信する。ウェブサーバ２のＣＰＵ２１は通信部２６で受信したＩＤ及びパスワードをもとに、ＩＤ管理ファイル２５２を検索し、ＩＤ管理ファイル２５２に記憶されているＩＤ及びパスワードと一致するか否かを判断する。一致すると判断した場合は、ウェブページファイル２５１内の会員用ウェブページを読み出し、後述する実行情報と共に、ユーザコンピュータ１へ送信する。
【００４７】
ユーザコンピュータ１の表示部１４にはウェブブラウザ１５２により、ウェブページは図４のごとく表示される。ウェブページには日付、記事及び画像（コンテンツ）が表示されるほか、画像の紹介を実行するための実行情報が表示される。実行情報は図４においてブラウザ上に表示される「紹介する」ボタン４１である。ユーザは入力部１３から「紹介する」ボタン４１をクリックすることにより、画像の紹介が可能となる。「紹介する」等の実行情報は、ウェブページファイル内の画像データの近辺に表示されるようＨＴＭＬ(Hyper Text Markup Language)で記述されている。
【００４８】
ユーザはユーザコンピュータ１の入力部１３から画像の紹介が実行、すなわち実行情報である「紹介する」ボタン４１をクリックした場合、制御プログラム１５１に従い、予め起動された作成プログラムであるウェブブラウザ１５２へ画像のアドレス及びこれに付随する著作権情報が送出される。なお、本実施の形態においては画像の下部に実行情報である「紹介する」ボタン４１をウェブブラウザに常時表示するよう構成しているが、入力部１３であるマウスのポインタが画像領域に位置する場合にだけ表示するようにしても良い。この場合、Flash等によりマウスのポインタと画像領域との一致により実行情報がウェブページに表示されるようプログラムを付加すればよい。
【００４９】
図４に示す画像には当該画像のアクセス先を示すアドレス、著作権情報及び期間情報が関連づけてユーザコンピュータ１に送信されている。画像に関連する著作権情報及び時間情報に対応するタグは予め取り決めにより定められている。例えばニュースを取り扱うウェブサイト間ではＩＰＴＣ(International Press Telecommunications Council)による取り決めにより、タグを含めて記事及び画像等に関する取り扱いが定められている。ユーザコンピュータ１のＣＰＵ１１は、制御プログラム１５１に従い、送信された著作権情報及び期間情報に係るタグを参照して、著作権情報及び期間情報を抽出する。抽出された著作権情報は画像のアドレスと共にＲＡＭ１２に格納され、期間情報は期間情報ファイル１５３内に記憶される。
【００５０】
図５は作成プログラムであるウェブブラウザ１５２のイメージを示す説明図である。ユーザはウェブブラウザ１５２を起動し、ブログサーバ３へアクセスする。ユーザの認証後図５に示すブログの編集画面が表示される。ウェブブラウザ１５２にはブログのタイトル入力ボックス５１、日時入力ボックス５２、画像のアドレス入力ボックス５３、コンテンツに対するユーザのコメントを入力する内容ボックス５４等が設けられており、各入力ボックスに入力された情報がＨＴＭＬ文章に変換されてブログサーバ３のブログファイル３５１に保存される。図４において、実行情報である「紹介する」ボタン４１をユーザが入力部１３からクリックして、紹介の実行を開始した場合、ＣＰＵ１１は制御プログラム１５１に従い、日時ボックス５２に現在時刻を記述し、ウェブサーバ２から送信された画像のアドレスをＲＡＭ１２から抽出して、ウェブブラウザ１５２へ送出する。ウェブブラウザ１５２に送出された画像のアドレスは図５に示すように画像のアドレス入力ボックス５３に記述される。
【００５１】
これと同様に、ＣＰＵ１１は制御プログラム１５１に従い、ウェブサーバ２から送信された著作権情報をＲＡＭ１２から抽出して、ウェブブラウザ１５２へ送出する。ウェブブラウザ１５２に送出された著作権情報は図５に示すように内容ボックス５４に記述される。ユーザはこの画像に対するブログを完成させるべく、タイトルボックス５１にブログのタイトルを入力部１３から入力する（図５では「今日の記事」）。また、画像に対するコメントを内容ボックス５４に、記述された著作権情報に続いて、入力部１３から入力する。
【００５２】
ユーザは入力が終了した場合、Ｐｏｓｔボタン５５を入力部１３からクリックする。Ｐｏｓｔボタン５５の操作により、入力項目がＨＴＭＬ文章に変換され、変換後のブログがウェブページ１５２にプレビュー表示される。ユーザはこのプレビューの内容で問題ないと判断した場合、Ｐｕｂｌｉｓｈボタン５６を入力部１３からクリックしてブログの内容をブログサーバ３へアップロードする。このブログはブログサーバ３内のブログファイル３５１に記憶される。
【００５３】
図６はブログのイメージを示す説明図である。第３者がこのブログを閲覧すべくブログサーバ３へアクセスした場合、ＣＰＵ３１はブログファイル３５１からＨＴＭＬ文章を読み出して第３者のコンピュータ４へ送信する。第３者のコンピュータ４のブラウザには図６に示す画面が表示される。コンピュータのブラウザは画像のアドレスを参照してウェブサーバ２へ当該アドレスに係る画像の取得をリクエストして、図６の如く画像を表示する。また、内容ボックス５４に記述した著作権情報及びコメント（この写真の○○氏は親日家として良く知られている。・・・）が画像の下部に表示される。このように、コンテンツの紹介をユーザが実行し、コンテンツをユーザのブログに取り込む場合、ユーザが意識することなく制御プログラム１５１の処理により著作権情報がウェブブラウザ１５２に送出され、ブログに著作権情報が付記されることになる。
【００５４】
ユーザコンピュータ１のＣＰＵ１１は定期的に期間情報ファイル１５３にアクセスし、アップロードした画像に対応づけて記憶された公開を許可する期間情報と、現在の日時とを比較し、公開がまだ可能か否かを判断する。公開を許可する期間を過ぎている場合は、ＣＰＵ１１は紹介期間が終了したことを示す情報を記憶部１５から読み出して表示部１４に警告のため表示する。ユーザは再度ブログサーバ３のブログファイル３５１へアクセスし、アップロードした画像のアドレスまたは該当コメントを削除することができる。
【００５５】
図７乃至図９は制御プログラム１５１に係るブログの作成処理手順を示すフローチャートである。ユーザの入力部１３からの指示に基づき、ＣＰＵ１１はウェブブラウザ１５２を起動する（ステップＳ７１）。入力部１３からのブログサーバ３に係るＵＲＬの入力を条件に、ＣＰＵ１１はブログサーバ３へアクセスする（ステップＳ７２）。ユーザが入力部１３からログインのためＩＤ及びパスワードを入力した場合、ＣＰＵ１１はこれを受け付け、受け付けたＩＤ及びパスワードをブログサーバ３へ送信する（ステップＳ７３）。
【００５６】
ブログサーバ３は、記憶部３５に記憶したＩＤ及びパスワードが、送信されてきたＩＤ及びパスワードに一致するか否かを判断する。ＣＰＵ３１はこの認証に成功しなかった場合は（ステップＳ７４でＮＯ）、処理を終了する。一方、ＣＰＵ３１は認証に成功したと判断した場合（ステップＳ７４でＹＥＳ）、当該ＩＤに対応するブログファイル３５１に係る編集画面をユーザコンピュータ１へ送信する（ステップＳ７５）。ユーザコンピュータ１のＣＰＵ１１は作成プログラムとしてのウェブブラウザ１５２に送信された編集画面を図５の如く表示する（ステップＳ７６）。
【００５７】
続いて、ＣＰＵ１１は別途ウェブブラウザ１５２を起動し、入力部１３から入力されたＵＲＬに基づき、ニュースを配信するウェブサーバ２へアクセスする。ユーザは入力部１３からＩＤ及びパスワードを入力する。ＣＰＵ１１は入力部１３から入力されたＩＤ及びパスワードをウェブサーバ２へ送信する（ステップＳ７７）。ウェブサーバ２は、記憶部２５のＩＤ管理ファイル２５２に記憶したＩＤ及びパスワードが、送信されてきたＩＤ及びパスワードに一致するか否かを判断する。ＣＰＵ２１はこの認証に成功しなかった場合は（ステップＳ７８でＮＯ）、会員以外の一般の画面をユーザコンピュータに送信して（ステップＳ７９）、処理を終了する。一方、ＣＰＵ２１は認証に成功したと判断した場合（ステップＳ７８でＹＥＳ）、ウェブページファイル２５１に記憶されたウェブページを読み出し、会員専用の画面としてユーザコンピュータへ送信する（ステップＳ７１０）。なお、本実施の形態においてはウェブサーバ２においてＩＤ及びパスワードの入力を要求することとしているが、これらの処理を省略するようにしても良い。
【００５８】
ＣＰＵ１１はステップＳ７６で起動されるウェブブラウザ１５２とは別のウインドウに起動されたウェブブラウザ１５２に、送信された会員専用の画面を表示する。ユーザはウェブページ内を閲覧し、ブログの記述を行う記事を入力部１３から選択する（ステップＳ７１１）。入力部１３からのリクエストを受けて、ウェブサーバ２のＣＰＵ２１は当該記事に係るウェブページの情報を送る。ＣＰＵ２１は記事、画像、当該画像のアドレス及びコンテンツの紹介を実行するための実行情報をユーザコンピュータ１へ送信する（ステップＳ７１２）。
【００５９】
ＣＰＵ１１はウェブサーバ２から送信された情報をもとに、図４の如く記事に関するウェブページを表示する。図４に示す如く、記事、画像及び画像の紹介を実行するための実行情報である「紹介する」ボタン４１がウェブブラウザ１５２に表示される（ステップＳ７１３）。さらに、ＣＰＵ２１は画像に付随する著作権情報及び期間情報をウェブページファイル２５１から読み出してユーザコンピュータへ送信する（ステップＳ７１４）。ユーザコンピュータ１は著作権情報を受信した場合、その情報を画像のアドレス情報に対応づけてＲＡＭ１２へ記憶し、また期間情報を受信した場合、これを期間情報ファイル１５３に画像のアドレス情報に対応させて記憶する（ステップＳ７１５）。
【００６０】
ＣＰＵ１１は入力部１３からコンテンツの紹介を実行する実行情報に関連して、コンテンツ紹介の実行がなされた場合、すなわち、画像に関連づけられる「紹介する」ボタン４１が入力部１３から選択された場合（ステップＳ７１６）、ＣＰＵ１１は著作権情報をＲＡＭ１２から抽出する（ステップＳ７１７）。そしてＣＰＵ１１は作成プログラムであるステップＳ７６で起動したウェブブラウザ１５２へ、ステップＳ７１２により送信された画像のアドレス及びステップＳ７１４により送信された著作権情報を送出する（ステップＳ８１）。
【００６１】
ＣＰＵ１１は図５に示す如くウェブブラウザ１５２の画像のアドレス入力ボックス５３に送出された画像アドレスを表示し、さらに内容ボックス５４に送出された著作権情報を表示する。ＣＰＵ１１は入力部１３から入力されたユーザの画像に対するコメントを受け付け（ステップＳ８２）、内容ボックス５４に表示する。入力部１３からＰｏｓｔボタン５５またはＰｕｂｌｉｓｈボタン５６に対する操作を受け付けた場合、ＣＰＵ１１はアドレス入力ボックス５３に表示された画像アドレス、内容ボックス５４に表示された著作権情報及びコメントをブログサーバ３へアップロード（出力）する（ステップＳ８３）。
【００６２】
ブログサーバ３のＣＰＵ３１はアップロードされた画像アドレス、著作権情報及びコメントをユーザのＩＤを参照して対応するブログファイル３５１に記憶する（ステップＳ８４）。第３者のコンピュータ４からブログサーバ３にアクセスがあり、当該ユーザのブログの閲覧要求を受け付けた場合、ＣＰＵ３１はブログファイル３５１にアップロードされた画像アドレス、著作権情報及びコメントを含むブログを第３者のコンピュータ４へ送信する。第３者のコンピュータ４は送信されたブログをウェブブラウザに表示すると共に、送信された画像アドレスを参照して、ウェブサーバ２へ画像の取得を要求する（ステップＳ８５）。
【００６３】
ウェブサーバ２のＣＰＵ２１は画像の取得要求を受けた場合、送信された画像アドレスを参照して、ウェブページファイル２５１から対応する画像を読み出し、通信部２６を介して読み出した画像をリクエスト元の第３者のコンピュータ４へ送信する（ステップＳ８６）。第３者のコンピュータ４は、ブログサーバ３から送信されたＨＴＭＬで記述されたブログ及びウェブサーバ２から送信された画像をウェブブラウザに表示する。ウェブブラウザには送信された画像の近くに、著作権情報がコメントと共に表示される（ステップＳ８７）。
【００６４】
ユーザコンピュータのＣＰＵ１１は適宜のタイミングで、ステップＳ７１５で期間情報ファイル１５３に記憶した期間情報と現在日時とを比較し、紹介する画像が紹介期間内であるか否かを判断する（ステップＳ８８）。ＣＰＵ１１は紹介期間内であると判断した場合（ステップＳ８８でＹＥＳ）、紹介期間を経過するまで以上の処理を繰り返す。一方ＣＰＵ１１は紹介期間内でないと判断した場合（ステップＳ８８でＮＯ）、表示部１４に画像の紹介期間が終了する旨の表示を記憶部１５から読み出して表示する（ステップＳ８９）。これによりユーザは画像の紹介期間が過ぎた場合でも、容易にその終了時期を知ることができ、ブログからこの画像に関する記事を削除することが可能となる。
【００６５】
なお、コンテンツが文章等の記事の場合も同様に記事の近くに記事を紹介するための実行情報が表示され、またこの記事に関連づけられている著作権情報がユーザコンピュータ１へ送信される。さらにこの記事に対応するアドレスもユーザコンピュータ１へ送信され、画像と同様の処理が行われることになる。
【００６６】
実施の形態２
実施の形態２はブログの閲覧制限を行う形態に関する。図１０は実施の形態２に係る閲覧制限処理の手順を示すフローチャートである。まず、ユーザコンピュータ１のＣＰＵ１１は入力部１３から紹介ブログの閲覧を制限する拒否アドレスの入力を受け付ける（ステップＳ９１）。この拒否アドレスは例えばＩＰアドレス等が用いられる。ＣＰＵ１１はステップＳ８３と同様に、コメント、画像のアドレス、著作権情報及び受け付けた拒否アドレスをブログサーバ３へアップロードする（ステップＳ９２）。
【００６７】
ブログサーバ３のＣＰＵ３１は、アップロードされたコメント、画像のアドレス、著作権情報及び受け付けた拒否アドレスをユーザのＩＤを参照し、ブログファイル３５１に記憶する（ステップＳ９３）。第３者のコンピュータ４からブログの閲覧要求があった場合、ＣＰＵ３１は閲覧要求のあったコンピュータのＩＰアドレスと、ブログファイル３５１に記憶した拒否アドレスとを比較し、これと一致するか否か判断する（ステップＳ９４）。一致しないと判断した場合（ステップＳ９４でＮＯ）、ＣＰＵ３１はブログファイル３５１から画像アドレス、著作権情報及びコメントの読み出しを行う（ステップＳ９５）。そして閲覧要求をなしたＩＰアドレス先へ読み出した画像アドレス、著作権情報及びコメントの送信を行う（ステップＳ９６）。
【００６８】
第３者のコンピュータ４のウェブブラウザは送信された画像のアドレスを参照してウェブサーバ２に画像の取得要求を行う（ステップＳ９７）。そしてウェブブラウザは送信された画像と共に著作権情報及びコメントを表示する（ステップＳ９８）。一方、拒否アドレスに一致するとＣＰＵ３１が判断した場合（ステップＳ９４でＹＥＳ）、記憶部３５に記憶した閲覧を制限する旨の情報を読み出すと共に、ブログファイル３５１から著作権情報及びコメントを読み出す（ステップＳ９９）。そしてＣＰＵ３１は閲覧制限がある第３者のコンピュータ４に係るＩＰアドレス宛へ読み出した閲覧制限情報、著作権情報及びコメントを送信する（ステップＳ９１０）。これを受信した第３者のコンピュータ４のウェブブラウザは閲覧制限のある画像の表示が行われず、代わりに閲覧制限情報が表示され、また著作権情報及びコメントが表示される（ステップＳ９１１）。このように紹介を行うユーザが閲覧制限を行うことにより、ウェブサーバ２を運営する新聞社等は安心してユーザのブログ作成を許可することが可能となる。
【００６９】
本実施の形態２は以上の如き構成としてあり、その他の構成及び作用は実施の形態１と同様であるので、対応する部分には同一の参照番号を付してその詳細な説明を省略する。
【００７０】
実施の形態３
上述した実施の形態１及び２にユーザコンピュータ１を動作させるためのコンピュータプログラムは、本実施の形態３のようにＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００７１】
図１１は実施の形態３に係るユーザコンピュータ１及びブログサーバ３のハードウェア構成を示すブロック図である。図１１に示すユーザコンピュータ１の図示しない記録媒体読み取り装置に、実行情報を受信させ、著作権情報を抽出させ、アドレス情報及び著作権情報を送出させるプログラムが記録された記録媒体１ａ（ＣＤ−ＲＯＭ、ＭＯ又はＤＶＤ−ＲＯＭ等）を、記憶部１５にインストールする。または、かかるプログラムを、通信部１６を介して外部のコンピュータからダウンロードし、記憶部１５にインストールするようにしても良い。かかるプログラムはユーザコンピュータ１のＲＡＭ１２にロードして実行される。これにより、上述のような本発明のユーザコンピュータ１として機能する。
【００７２】
本実施の形態３は以上の如き構成としてあり、その他の構成及び作用は実施の形態１及び２と同様であるので、対応する部分には同一の参照番号を付してその詳細な説明を省略する。
【００７３】
実施の形態４
コンテンツの紹介処理は、以下に述べるようにユーザコンピュータ１が実行するようにしても良い。図１２はウェブサーバ２にアクセスすることにより表示されるウェブページのイメージを示す説明図である。ウェブブラウザ１５２には実施の形態１と同じくウェブサーバ２から送信された記事が表示されている。ユーザが入力部１３から紹介を希望するコンテンツを右クリック、本例では画像を右クリックした場合、図１１に示す如くウインドウが別途表示され、「プロパティ」等のほか「紹介する」が表示される。
【００７４】
ユーザがこの「紹介する」を入力部１３からクリックした場合、ＣＰＵ１１は画像のアドレス及びこの画像に付随する著作権情報を抽出し、別のウインドウに起動されているウェブブラウザ１５２にこれら抽出した画像アドレス及び著作権情報を送出する。この送出された画像アドレス及び著作権情報は図５の如く表示される。このように実施の形態１で述べた処理をプラグインとしてウェブブラウザ１５２に付加するようにしても良い。
【００７５】
図１３は実施の形態４に係る作成処理の手順を示すフローチャートである。ステップＳ７１〜ステップＳ７６までの処理は実施の形態１と同様であるので説明は省略する。ウェブサーバ２のＣＰＵ２１はユーザコンピュータ１からのリクエストに応じて、ウェブページファイル２５１から、記事、画像、画像のアドレス及び著作権情報を読み出し、ユーザコンピュータ１へ送信する（ステップＳ１２１）。ユーザコンピュータ１のウェブブラウザ１５２は送信された記事を図１１の如く表示する（ステップＳ１２２）。ＣＰＵ１１は入力部１３から、ユーザが画像の紹介を行うべく、画像の選択を受け付けたか否かを判断する（ステップＳ１２３）。画像の選択を受け付けていないと判断した場合（ステップＳ１２３でＮＯ）、ＣＰＵ１１は作成処理を終了する。
【００７６】
一方、ＣＰＵ１１は画像の選択を受け付けたと判断した場合（ステップＳ１２３でＹＥＳ）、例えば、入力部１３から画像領域上で右クリックされた場合、図１１の如くウェブブラウザ１５２のウインドウ上に紹介コマンド（図中「紹介する」）を表示する（ステップＳ１２４）。なお、コンテンツが記事等の文章の場合は、紹介する記事を入力部１３からドラッグして対象範囲を指定し、そして当該対象範囲を右クリックした場合に、図１１の如くウェブブラウザ１５２のウインドウ上に紹介コマンド（図中「紹介する」）を表示すればよい。ユーザは画像の紹介を希望する場合は入力部１３から紹介コマンドを選択する。ＣＰＵ１１はこの紹介コマンドを受け付け（ステップＳ１２５）、画像のアドレス及び著作権情報を抽出する（ステップＳ１２６）。
【００７７】
そして、ＣＰＵ１１はステップＳ７１で起動された作成プログラムである別のウェブブラウザ１５２へ抽出した画像アドレス及び著作権情報を送出する（ステップＳ１２７）。なお、これ以降の処理は実施の形態１で説明したものと同様であるので説明は省略する。
【００７８】
本実施の形態に係るユーザコンピュータ１の機能を実現するためのコンピュータプログラムは、ＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００７９】
図１４は実施の形態４に係るユーザコンピュータ１及びブログサーバ３のハードウェア構成を示すブロック図である。図１３に示すユーザコンピュータ１の図示しない記録媒体読み取り装置に、紹介コンテンツの選択を受け付けさせ、アドレス情報及び著作権情報を抽出させ、アドレス情報及び著作権情報を送出させるプログラムが記録された記録媒体１１ａ（ＣＤ−ＲＯＭ、ＭＯ又はＤＶＤ−ＲＯＭ等）を、記憶部１５のウェブブラウザ１５２にプラグインソフトウェアとしてインストールする。または、かかるプログラムを、通信部１６を介して外部のコンピュータからダウンロードし、ウェブブラウザ１５２のプラグインソフトとしてインストールするようにしても良い。かかるプログラムはユーザコンピュータ１のＲＡＭ１２にロードして実行される。これにより、上述のような本発明のユーザコンピュータ１として機能する。
【００８０】
本実施の形態４は以上の如き構成としてあり、その他の構成及び作用は実施の形態１乃至３と同様であるので、対応する部分には同一の参照番号を付してその詳細な説明を省略する。
【００８１】
実施の形態５
実施の形態１においてはユーザコンピュータ１において著作権情報を取得してブログサーバ３へアップロードする形態としたが、ブログサーバ３において著作権情報の取得を行う形態であっても良い。以下にその内容を、フローチャートを用いて説明する。図１５は実施の形態５に係る作成処理の手順を示すフローチャートである。ステップＳ７１〜ステップＳ７１１までの処理は実施の形態１と同様であるので説明は省略する。ステップＳ７１１以降、ウェブサーバ２のＣＰＵ２１は選択された記事、画像、実行情報及びブログサーバ３のアドレスをユーザコンピュータ１へ送信する（ステップＳ１５１）。
【００８２】
この送信される実行情報は実施の形態１で述べたものに加え、ブログサーバ３へアクセスするためのアドレスが記述されたハイパーリンクが記述されている。すなわち「紹介する」ボタン４１を表示するためのＨＴＭＬに加え、ブログサーバ３のＵＲＬが記述されたＨＴＭＬが挿入され図４に示す画面がウェブブラウザ１５２に表示される。ユーザコンピュータ１のＣＰＵ１１はウェブブラウザ１５２に記事、画像及びブログサーバ３に対するハイパーリンクが付加された実行情報を表示部１４に表示する（ステップＳ１５２）。ユーザの入力部１３からの指示により画像の紹介が実行された場合（ステップＳ１５３）、すなわちＣＰＵ１１が入力部１３から「紹介する」ボタン４１のクリックに伴い、ブログサーバ３に係るハイパーリンクへのアクセス要求があったと判断した場合、ブログサーバ３にアクセスするとともに、ＣＰＵ１１は当該紹介する画像のアドレスを、ウェブブラウザ１５２から抽出してブログサーバ３へ送信する（ステップＳ１５４）。
【００８３】
ブログサーバ３のＣＰＵ１１はすでにログインしているユーザコンピュータ１からのアクセスに伴い画像のアドレスが送信された場合、当該送信されたアドレスを記憶部３５内のブログファイル３５１に記憶する。そして、ＣＰＵ３１は送信された画像のアドレスを参照して、ウェブサーバ２へアクセスし、紹介する画像のアドレスに対応する著作権情報の取得要求を行う（ステップＳ１５５）。ウェブサーバ２のＣＰＵ２１は紹介する画像のアドレスに対応する著作権情報をウェブページファイル２５１から読み出してブログサーバ３へ送信する（ステップＳ１５６）。なお、著作権情報の取得は次のように行っても良い。ＣＰＵ３１がユーザコンピュータ１から送信された画像のアドレスを参照して、ウェブサーバ２へアクセスし、画像及び当該画像に関連づけられている著作権情報を受信する。このように、ウェブサーバ２のウェブページファイル２５１に記憶されている画像及び画像の著作権情報を同時に受信するほか、著作権情報のみを受信する等適宜の手段をとればよい。
【００８４】
ブログサーバ３のＣＰＵ３１は送信された著作権情報をブログファイル３５１に記憶した画像のアドレスに対応づけて記憶する（ステップＳ１５７）。以上の処理により、ユーザが紹介を希望する画像のアドレス及び著作権情報が対応づけられて、ユーザのブログにアップロードされることになる。続いて、ユーザは紹介する画像に対するコメントを記載すべく、入力部１３からコメントを入力する。ＣＰＵ１１は入力部１３から入力されたコメントを受け付け（ステップＳ１５８）、Ｐｏｓｔボタン５５またはＰｕｂｌｉｓｈボタン５６の入力部１３からの操作をトリガーに、入力されたコメントをブログサーバ３にアップロードする（ステップＳ１５９）。
【００８５】
ブログサーバ３のＣＰＵ３１は送信されたコメントを当該ユーザのブログファイル３５１に記憶した著作権情報及び画像アドレスに対応づけて記憶する（ステップＳ１５１０）。以降の処理はステップＳ８５で述べたものと同様であるので詳細な説明は省略する。このようにしてブログファイル３５１に記憶されたブログは、第３者のコンピュータ４からのアクセスに伴い閲覧することが可能であるが、その際にはコメントに対応づけて画像のアドレス、著作権情報がブログファイル３５１に読み出されて表示され、ブログサーバ３側においても簡単な操作で、コンテンツの著作権を保護することが可能となる。
【図面の簡単な説明】
【００８６】
【図１】本発明に係る情報紹介システムの構成を示す概要図である。
【図２】ユーザコンピュータ及びブログサーバのハードウェア構成を示すブロック図である。
【図３】ウェブサーバのハードウェア構成を示すブロック図である。
【図４】ウェブサーバにアクセスすることにより表示されるウェブページのイメージを示す説明図である。
【図５】作成プログラムであるウェブブラウザのイメージを示す説明図である。
【図６】ブログのイメージを示す説明図である。
【図７】制御プログラムに係るブログの作成処理手順を示すフローチャートである。
【図８】制御プログラムに係るブログの作成処理手順を示すフローチャートである。
【図９】制御プログラムに係るブログの作成処理手順を示すフローチャートである。
【図１０】実施の形態２に係る閲覧制限処理の手順を示すフローチャートである。
【図１１】実施の形態３に係るユーザコンピュータ及びブログサーバのハードウェア構成を示すブロック図である。
【図１２】ウェブサーバにアクセスすることにより表示されるウェブページのイメージを示す説明図である。
【図１３】実施の形態４に係る作成処理の手順を示すフローチャートである。
【図１４】実施の形態４に係るユーザコンピュータ及びブログサーバのハードウェア構成を示すブロック図である。
【図１５】実施の形態５に係る作成処理の手順を示すフローチャートである。
【符号の説明】
【００８７】
１      ユーザコンピュータ（作成装置）
１ａ    記録媒体
２      ウェブサーバ
３      ブログサーバ（公開用サーバコンピュータ）
４      第３者のコンピュータ
１１    ＣＰＵ（制御部）
１１ａ  記録媒体
１３    入力部
１４    表示部
１５    記憶部
１６    通信部
２５    記憶部
３１    ＣＰＵ（公開用制御部）
３５    記憶部
４１    「紹介する」ボタン（実行情報）
５３    アドレス入力ボックス
５４    内容ボックス
１５１    制御プログラム
１５２  ウェブブラウザ（作成プログラム）
１５３  期間情報ファイル
２５１  ウェブページファイル２５１
２５３  期間情報ファイル
３５１  ブログファイル
Ｎ      通信網（インターネット）
Ｓ      情報紹介システム
【図１】
2007102735.tif 000003
【図２】
2007102735.tif 000004
【図３】
2007102735.tif 000005
【図４】
2007102735.tif 000006
【図５】
2007102735.tif 000007
【図６】
2007102735.tif 000008
【図７】
2007102735.tif 000009
【図８】
2007102735.tif 000010
【図９】
2007102735.tif 000011
【図１０】
2007102735.tif 000012
【図１１】
2007102735.tif 000013
【図１２】
2007102735.tif 000014
【図１３】
2007102735.tif 000015
【図１４】
2007102735.tif 000016
【図１５】
2007102735.tif 000017
【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
コンテンツが格納されたウェブサーバに通信網を介して接続される表示部を有する作成装置を用いて前記コンテンツに係るウェブページを作成する作成方法において、
前記ウェブサーバは、
コンテンツ、該コンテンツのコンテンツアドレス、該コンテンツの著作権情報及び前記ウェブページの作成指示の受け付けが可能な指示受付部を表示する表示用情報を前記作成装置へ送信する送信ステップを備え、
前記作成装置は、
前記ウェブサーバから受信した前記著作権情報を、受信した前記コンテンツアドレスに対応づけて記憶するステップと、
前記ウェブサーバから受信した前記表示用情報に応じた指示受付部を、受信した前記コンテンツと共に前記表示部に表示するステップと、
表示した前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出するステップと、
抽出した前記コンテンツアドレス及び著作権情報を作成中のウェブページに埋め込むステップと
を備えることを特徴とする作成方法。
【請求項２】
前記作成装置は、
前記コンテンツに関するコメントを受け付けるステップと、
受け付けたコメントに対応づけて、前記ウェブページに埋め込まれたコンテンツアドレス及び著作権情報を、前記通信網を介して接続される公開用サーバコンピュータへ出力する出力ステップと
を備え、
前記公開用サーバコンピュータは、
出力されてきたコンテンツアドレス、著作権情報及びコメントを記憶するステップと、
作成されたウェブページに係る閲覧要求を外部から受け付けた場合、記憶するコンテンツアドレス、著作権情報及びコメントを閲覧要求元へ送信するステップと
を備える請求項１に記載の作成方法。
【請求項３】
コンテンツが格納されたウェブサーバ及び該ウェブサーバに通信網を介して接続され、前記コンテンツに係るウェブページを作成する作成装置から構成される情報紹介システムにおいて、
前記ウェブサーバは、
コンテンツ、該コンテンツのコンテンツアドレス、該コンテンツの著作権情報及び前記ウェブページの作成指示の受け付けが可能な指示受付部を表示する表示用情報を前記作成装置へ送信する手段を備え、
前記作成装置は、
表示部と、
前記ウェブサーバから受信した前記著作権情報を、受信した前記コンテンツアドレスに対応づけて記憶する手段と、
前記ウェブサーバから受信した前記表示用情報に応じた指示受付部を、受信した前記コンテンツと共に前記表示部に表示する処理を行う手段と、
表示した前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出する手段と、
抽出した前記コンテンツアドレス及び著作権情報を作成中のウェブページに埋め込む手段と
を備えることを特徴とする情報紹介システム。
【請求項４】
前記通信網を介して前記作成装置と接続される公開用サーバコンピュータを備え、
前記作成装置は、
前記コンテンツに関するコメントを受け付ける手段と、
受け付けたコメント、前記ウェブページに埋め込まれたコンテンツアドレス及び著作権情報をそれぞれ対応づけて前記公開用サーバコンピュータへ出力する手段と
を備え、
前記公開用サーバコンピュータは、
出力されてきたコメント、コンテンツアドレス及び著作権情報を記憶する手段と、
作成されたウェブページに係る閲覧要求を外部から受け付けた場合、記憶するコメント、コンテンツアドレス及び著作権情報を閲覧要求元へ送信する手段と
を備える請求項３に記載の情報紹介システム。
【請求項５】
前記作成装置は、
ウェブページに埋め込まれたコンテンツアドレスに係るコンテンツの閲覧を拒否するアクセス先の拒否アドレスを受け付ける手段と、
受け付けた前記拒否アドレスを前記公開用サーバコンピュータへ出力する手段と
を備え、
前記公開用サーバコンピュータは、
閲覧制限情報を記憶しており、
出力されてきた拒否アドレスを、該拒否アドレスに係るコンテンツに応じたコンテンツアドレス、著作権情報及びコメントに対応づけて記憶する手段と、
作成されたウェブページに係る閲覧要求を外部から受け付けた場合、閲覧要求元に係るアドレスと、記憶する拒否アドレスとを比較する手段と、
比較により、前記閲覧要求元に係るアドレスが前記拒否アドレスに一致したことを判断した場合、記憶する閲覧制限情報、前記拒否アドレスに対応づけた著作権情報及びコメントを閲覧要求元へ送信する手段と
を備える請求項４に記載の情報紹介システム。
【請求項６】
前記ウェブサーバは、
前記コンテンツの公開を許可する期間を規定した期間情報を前記作成装置へ送信する手段を備え、
前記作成装置は、
コンテンツの公開期間が終了したことを示す終了情報を記憶しており、
送信された期間情報を前記コンテンツアドレスに対応づけて記憶する手段と、
記憶した期間情報を、そのときの日時と比較する手段と、
比較により、そのときの日時が記憶した期間情報を過ぎたことを判断した場合、前記期間情報に対応づけられたコンテンツアドレスに係るコンテンツの前記終了情報を前記表示部に表示する処理を行う手段と
を備える請求項３乃至請求項５のいずれか１つに記載の情報紹介システム。
【請求項７】
コンテンツが格納されたウェブサーバ、前記コンテンツに係るウェブページを作成する作成装置及び前記コンテンツの公開用サーバコンピュータから構成される情報紹介システムにおいて、
前記ウェブサーバは、
コンテンツ、該コンテンツのコンテンツアドレス、前記ウェブページの作成指示の受け付けが可能な指示受付部を表示する表示用情報及び該表示用情報にリンクさせた前記公開用サーバコンピュータのアドレスを前記作成装置へ送信する手段を備え、
前記作成装置は、
表示部と、
記憶手段と、
前記ウェブサーバから受信した前記コンテンツアドレスを前記記憶手段に記憶する処理を行う手段と、
前記ウェブサーバから受信した前記表示用情報に応じた指示受付部を、前記コンテンツと共に前記表示部に表示する処理を行う手段と、
表示した前記指示受付部で作成指示を受け付けた場合、該指示受付部にリンクさせた前記公開用サーバコンピュータのアドレスに基づき、前記指示受付部と共に表示される前記コンテンツに係るコンテンツアドレスを前記記憶手段から抽出して前記公開用サーバコンピュータへ送信する手段と
を備え、
前記公開用サーバコンピュータは、
送信されてきたコンテンツアドレスに基づき、前記ウェブサーバへアクセスして、前記コンテンツの著作権情報を取得する手段と、
取得した著作権情報を、該著作権情報に係るコンテンツアドレスに対応づけて記憶する手段と
を備えることを特徴とする情報紹介システム。
【請求項８】
前記作成装置は、
前記コンテンツに関するコメントを受け付ける手段と、
受け付けたコメントを前記公開用サーバコンピュータへ送信する手段と
を備え、
前記公開用サーバコンピュータは、
送信されてきたコメントを、該コメントに応じたコンテンツに係る前記コンテンツアドレス及び著作権情報に対応づけて記憶する手段を備える請求項７に記載の情報紹介システム。
【請求項９】
表示部を備え、コンテンツに係るウェブページを作成する作成装置において、
外部から、コンテンツ、該コンテンツのコンテンツアドレス、該コンテンツの著作権情報及び前記ウェブページの作成指示の受け付けが可能な指示受付部を表示する表示用情報を受信する手段と、
受信した前記著作権情報を、受信した前記コンテンツアドレスに対応づけて記憶する手段と、
受信した前記表示用情報に応じた指示受付部を、受信した前記コンテンツと共に前記表示部に表示する処理を行う手段と、
表示した前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出する手段と、
抽出した前記コンテンツアドレス及び著作権情報を作成中のウェブページに埋め込む手段と
を備えることを特徴とする作成装置。
【請求項１０】
前記コンテンツに関するコメントを受け付ける手段と、
受け付けたコメント、前記ウェブページに埋め込まれたコンテンツアドレス及び著作権情報をそれぞれ対応づけて外部へ出力する手段と
を備える請求項９に記載の作成装置。
【請求項１１】
コンテンツの公開期間が終了したことを示す終了情報を記憶しており、
外部から前記コンテンツの公開を許可する期間を規定した期間情報を受信する手段と、
受信した期間情報を前記コンテンツアドレスに対応づけて記憶する手段と、
記憶した期間情報を、そのときの日時と比較する手段と、
比較により、そのときの日時が記憶した期間情報を過ぎたことを判断した場合、前記期間情報に対応づけられたコンテンツアドレスに係るコンテンツの前記終了情報を前記表示部に表示する処理を行う手段と
を備える請求項９または１０に記載の作成装置。
【請求項１２】
ウェブページに埋め込まれたコンテンツアドレスに係るコンテンツの閲覧を拒否するアクセス先の拒否アドレスを受け付ける手段と、
受け付けた前記拒否アドレスを外部へ出力する手段と
を備える請求項１０または１１に記載の作成装置。
【請求項１３】
表示部及び記憶手段を備え、コンテンツに係るウェブページを作成する作成装置において、
外部から、コンテンツ、該コンテンツのコンテンツアドレス、前記ウェブページの作成指示の受け付けが可能な指示受付部を表示する表示用情報及び該表示用情報にリンクさせた外部サーバコンピュータのアドレスを受信する手段と、
受信した前記コンテンツアドレスを前記記憶手段に記憶する処理を行う手段と、
受信した前記表示用情報に応じた指示受付部を、受信した前記コンテンツと共に前記表示部に表示する処理を行う手段と、
表示した前記指示受付部で作成指示を受け付けた場合、該指示受付部にリンクさせた外部サーバコンピュータのアドレスに基づき、前記指示受付部と共に表示される前記コンテンツに係るコンテンツアドレスを前記記憶手段から抽出して外部サーバコンピュータへ送信する手段と
を備えることを特徴とする作成装置。
【請求項１４】
前記コンテンツに関するコメントを受け付ける手段と、
受け付けたコメントを外部サーバコンピュータへ出力する手段と
を備える請求項１３に記載の作成装置。
【請求項１５】
通信手段を有するコンピュータに、コンテンツに係るウェブページを作成させるコンピュータプログラムにおいて、
コンピュータを、
外部から前記通信手段で、コンテンツ、該コンテンツのコンテンツアドレス、該コンテンツの著作権情報及び前記ウェブページの作成指示の受け付けが可能な指示受付部を表示する表示用情報を受信する処理を行う手段と、
受信した前記著作権情報を、受信した前記コンテンツアドレスに対応づけて記憶する手段と、
受信した前記表示用情報に応じた指示受付部を、受信した前記コンテンツと共に表示する処理を行う手段と、
前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出する手段と、
抽出した前記コンテンツアドレス及び著作権情報を作成中のウェブページに埋め込む手段として機能させることを特徴とするコンピュータプログラム。
【請求項１６】
通信手段及び記憶手段を有するコンピュータに、コンテンツに係るウェブページを作成させるコンピュータプログラムにおいて、
コンピュータを、
外部から前記通信手段で、コンテンツ、該コンテンツのコンテンツアドレス、前記ウェブページの作成指示の受け付けが可能な指示受付部を表示する表示用情報及び該表示用情報にリンクさせた外部サーバコンピュータのアドレスを受信する処理を行う手段と、
受信した前記コンテンツアドレスを前記記憶手段に記憶する処理を行う手段と、
受信した前記表示用情報に応じた指示受付部を、前記コンテンツと共に表示する処理を行う手段と、
前記指示受付部で作成指示を受け付けた場合、該指示受付部にリンクさせた外部サーバコンピュータのアドレスに基づき、前記指示受付部と共に表示される前記コンテンツに係るコンテンツアドレスを前記記憶手段から抽出して外部サーバコンピュータへ前記通信手段で送信する処理を行う手段として機能させることを特徴とするコンピュータプログラム。
【手続補正２】
【補正対象書類名】明細書
【補正対象項目名】全文
【補正方法】変更
【補正の内容】
【発明の詳細な説明】
【技術分野】
【０００１】
本発明は、コンテンツが格納されたウェブサーバに通信網を介して接続される作成装置を用いて前記コンテンツを紹介するためのウェブページを作成する作成方法、該方法に用いられる情報紹介システム及び作成装置、並びに該作成装置の機能を実現するためのコンピュータプログラムに関し、特に紹介するウェブページ内のコンテンツの著作権情報を適切に保護する技術に関する。
【背景技術】
【０００２】
近年、インターネットのウェブサイトに存在するニュース記事、画像または特定ウェブサイトへのハイパーリンクを設定し、これを紹介すべくそこに自分の評論を書き加えた記事を時系列に配置するいわゆるブログ（blogまたはWeblog）が普及している。ブログの作成にあたってはＢＬＯＧＧＥＲまたはＭＯＶＡＢＬＥＴＹＰＥ等のソフトウェアを用いることによりブラウザ上で容易に、ブログを作成することができる。
【特許文献１】特開２００５−２３５１１８号公報
【発明の開示】
【発明が解決しようとする課題】
【０００３】
しかしながら、ウェブサイトに掲載されている画像、動画または文章等のコンテンツには著作権が発生していることが多いところ、ユーザはこの著作権を意識することなく、ユーザのブログ内にコンテンツを表示していることが多いという問題があった。その一方で、ユーザが個別にウェブサイト運用者に著作権の許諾を得るというのも、手続きが煩雑となる。
【０００４】
また、ニュースが掲載されたウェブサイトの画像または動画等は、その掲載期間が契約等により設定されており、ユーザがブログで画像を紹介したとしても、期間が徒過するという問題もあった。
【０００５】
さらに、紹介するコンテンツによっては、道徳上または法律上各国の規制にそぐわないこともあり、自由にコンテンツを紹介することができるブログにおいても、一定のアクセス制限を課す必要がある。
【０００６】
本発明は斯かる事情に鑑みてなされたものであり、その目的は、紹介するコンテンツの著作権情報を適切に処理することにより、ウェブサイト管理者及びユーザの手を煩わせることなく適切に著作物を保護することが可能な作成方法、情報紹介システム、作成装置及びコンピュータプログラムを提供することにある。
【０００７】
また、本発明の他の目的は、コンテンツを公開する期間情報を用いて処理することにより、掲載期間が徒過したコンテンツを適切に扱うことが可能な作成方法等を提供することにある。
【０００８】
また、本発明の他の目的は、アクセスコントロールを行うことにより、各国の道徳または法律に反しない作成方法等を提供することにある。
【課題を解決するための手段】
【０００９】
本発明に係る作成方法は、コンテンツが格納されたウェブサーバに通信網を介して接続される表示部を有する作成装置を用いて前記コンテンツに係るウェブページを作成する作成方法において、前記ウェブサーバは、コンテンツ、該コンテンツのコンテンツアドレス、該コンテンツの著作権情報及び前記ウェブページの作成指示の受け付けが可能な指示受付部を表示する表示用情報を前記作成装置へ送信する送信ステップを備え、前記作成装置は、前記ウェブサーバから受信した前記著作権情報を、受信した前記コンテンツアドレスに対応づけて記憶するステップと、前記ウェブサーバから受信した前記表示用情報に応じた指示受付部を、受信した前記コンテンツと共に前記表示部に表示するステップと、
表示した前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出するステップと、抽出した前記コンテンツアドレス及び著作権情報を作成中のウェブページに埋め込むステップとを備えることを特徴とする。
【００１０】
本発明に係る作成方法は、前記作成装置が、前記コンテンツに関するコメントを受け付けるステップと、受け付けたコメントに対応づけて、前記ウェブページに埋め込まれたコンテンツアドレス及び著作権情報を、前記通信網を介して接続される公開用サーバコンピュータへ出力する出力ステップとを備え、前記公開用サーバコンピュータは、出力されてきたコンテンツアドレス、著作権情報及びコメントを記憶するステップと、作成されたウェブページに係る閲覧要求を外部から受け付けた場合、記憶するコンテンツアドレス、著作権情報及びコメントを閲覧要求元へ送信するステップとを備えることを特徴とする。
【００１１】
本発明に係る情報紹介システムは、コンテンツが格納されたウェブサーバ及び該ウェブサーバに通信網を介して接続され、前記コンテンツに係るウェブページを作成する作成装置から構成される情報紹介システムにおいて、前記ウェブサーバは、コンテンツ、該コンテンツのコンテンツアドレス、該コンテンツの著作権情報及び前記ウェブページの作成指示の受け付けが可能な指示受付部を表示する表示用情報を前記作成装置へ送信する手段を備え、前記作成装置は、表示部と、前記ウェブサーバから受信した前記著作権情報を、受信した前記コンテンツアドレスに対応づけて記憶する手段と、前記ウェブサーバから受信した前記表示用情報に応じた指示受付部を、受信した前記コンテンツと共に前記表示部に表示する処理を行う手段と、表示した前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出する手段と、抽出した前記コンテンツアドレス及び著作権情報を作成中のウェブページに埋め込む手段とを備えることを特徴とする。
【００１２】
本発明に係る情報紹介システムは、前記通信網を介して前記作成装置と接続される公開用サーバコンピュータを備え、前記作成装置は、前記コンテンツに関するコメントを受け付ける手段と、受け付けたコメント、前記ウェブページに埋め込まれたコンテンツアドレス及び著作権情報をそれぞれ対応づけて前記公開用サーバコンピュータへ出力する手段とを備え、前記公開用サーバコンピュータは、出力されてきたコメント、コンテンツアドレス及び著作権情報を記憶する手段と、作成されたウェブページに係る閲覧要求を外部から受け付けた場合、記憶するコメント、コンテンツアドレス及び著作権情報を閲覧要求元へ送信する手段とを備えることを特徴とする。
【００１３】
本発明に係る情報紹介システムは、前記作成装置が、ウェブページに埋め込まれたコンテンツアドレスに係るコンテンツの閲覧を拒否するアクセス先の拒否アドレスを受け付ける手段と、受け付けた前記拒否アドレスを前記公開用サーバコンピュータへ出力する手段とを備え、前記公開用サーバコンピュータは、閲覧制限情報を記憶しており、出力されてきた拒否アドレスを、該拒否アドレスに係るコンテンツに応じたコンテンツアドレス、著作権情報及びコメントに対応づけて記憶する手段と、作成されたウェブページに係る閲覧要求を外部から受け付けた場合、閲覧要求元に係るアドレスと、記憶する拒否アドレスとを比較する手段と、比較により、前記閲覧要求元に係るアドレスが前記拒否アドレスに一致したことを判断した場合、記憶する閲覧制限情報、前記拒否アドレスに対応づけた著作権情報及びコメントを閲覧要求元へ送信する手段とを備えることを特徴とする。
【００１４】
本発明に係る情報紹介システムは、前記ウェブサーバが、前記コンテンツの公開を許可する期間を規定した期間情報を前記作成装置へ送信する手段を備え、前記作成装置は、コンテンツの公開期間が終了したことを示す終了情報を記憶しており、送信された期間情報を前記コンテンツアドレスに対応づけて記憶する手段と、記憶した期間情報を、そのときの日時と比較する手段と、比較により、そのときの日時が記憶した期間情報を過ぎたことを判断した場合、前記期間情報に対応づけられたコンテンツアドレスに係るコンテンツの前記終了情報を前記表示部に表示する処理を行う手段とを備えることを特徴とする。
【００１５】
本発明に係る情報紹介システムは、コンテンツが格納されたウェブサーバ、前記コンテンツに係るウェブページを作成する作成装置及び前記コンテンツの公開用サーバコンピュータから構成される情報紹介システムにおいて、前記ウェブサーバは、コンテンツ、該コンテンツのコンテンツアドレス、前記ウェブページの作成指示の受け付けが可能な指示受付部を表示する表示用情報及び該表示用情報にリンクさせた前記公開用サーバコンピュータのアドレスを前記作成装置へ送信する手段を備え、前記作成装置は、表示部と、記憶手段と、前記ウェブサーバから受信した前記コンテンツアドレスを前記記憶手段に記憶する処理を行う手段と、前記ウェブサーバから受信した前記表示用情報に応じた指示受付部を、前記コンテンツと共に前記表示部に表示する処理を行う手段と、表示した前記指示受付部で作成指示を受け付けた場合、該指示受付部にリンクさせた前記公開用サーバコンピュータのアドレスに基づき、前記指示受付部と共に表示される前記コンテンツに係るコンテンツアドレスを前記記憶手段から抽出して前記公開用サーバコンピュータへ送信する手段とを備え、前記公開用サーバコンピュータは、送信されてきたコンテンツアドレスに基づき、前記ウェブサーバへアクセスして、前記コンテンツの著作権情報を取得する手段と、取得した著作権情報を、該著作権情報に係るコンテンツアドレスに対応づけて記憶する手段とを備えることを特徴とする。
【００１６】
本発明に係る情報紹介システムは、前記作成装置が、前記コンテンツに関するコメントを受け付ける手段と、受け付けたコメントを前記公開用サーバコンピュータへ送信する手段とを備え、前記公開用サーバコンピュータは、送信されてきたコメントを、該コメントに応じたコンテンツに係る前記コンテンツアドレス及び著作権情報に対応づけて記憶する手段を備えることを特徴とする。
【００１７】
本発明に係る作成装置は、表示部を備え、コンテンツに係るウェブページを作成する作成装置において、外部から、コンテンツ、該コンテンツのコンテンツアドレス、該コンテンツの著作権情報及び前記ウェブページの作成指示の受け付けが可能な指示受付部を表示する表示用情報を受信する手段と、受信した前記著作権情報を、受信した前記コンテンツアドレスに対応づけて記憶する手段と、受信した前記表示用情報に応じた指示受付部を、受信した前記コンテンツと共に前記表示部に表示する処理を行う手段と、表示した前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出する手段と、抽出した前記コンテンツアドレス及び著作権情報を作成中のウェブページに埋め込む手段とを備えることを特徴とする。
【００１８】
本発明に係る作成装置は、前記コンテンツに関するコメントを受け付ける手段と、受け付けたコメント、前記ウェブページに埋め込まれたコンテンツアドレス及び著作権情報をそれぞれ対応づけて外部へ出力する手段とを備えることを特徴とする。
【００１９】
本発明に係る作成装置は、コンテンツの公開期間が終了したことを示す終了情報を記憶しており、外部から前記コンテンツの公開を許可する期間を規定した期間情報を受信する手段と、受信した期間情報を前記コンテンツアドレスに対応づけて記憶する手段と、記憶した期間情報を、そのときの日時と比較する手段と、比較により、そのときの日時が記憶した期間情報を過ぎたことを判断した場合、前記期間情報に対応づけられたコンテンツアドレスに係るコンテンツの前記終了情報を前記表示部に表示する処理を行う手段とを備えることを特徴とする。
【００２０】
本発明に係る作成装置は、ウェブページに埋め込まれたコンテンツアドレスに係るコンテンツの閲覧を拒否するアクセス先の拒否アドレスを受け付ける手段と、受け付けた前記拒否アドレスを外部へ出力する手段とを備えることを特徴とする。
【００２１】
本発明に係る作成装置は、表示部及び記憶手段を備え、コンテンツに係るウェブページを作成する作成装置において、外部から、コンテンツ、該コンテンツのコンテンツアドレス、前記ウェブページの作成指示の受け付けが可能な指示受付部を表示する表示用情報及び該表示用情報にリンクさせた外部サーバコンピュータのアドレスを受信する手段と、受信した前記コンテンツアドレスを前記記憶手段に記憶する処理を行う手段と、受信した前記表示用情報に応じた指示受付部を、受信した前記コンテンツと共に前記表示部に表示する処理を行う手段と、表示した前記指示受付部で作成指示を受け付けた場合、該指示受付部にリンクさせた外部サーバコンピュータのアドレスに基づき、前記指示受付部と共に表示される前記コンテンツに係るコンテンツアドレスを前記記憶手段から抽出して外部サーバコンピュータへ送信する手段とを備えることを特徴とする。
【００２２】
本発明に係る作成装置は、前記コンテンツに関するコメントを受け付ける手段と、受け付けたコメントを外部サーバコンピュータへ出力する手段とを備えことを特徴とする。
【００２３】
本発明に係るコンピュータプログラムは、通信手段を有するコンピュータに、コンテンツに係るウェブページを作成させるコンピュータプログラムにおいて、コンピュータを、外部から前記通信手段で、コンテンツ、該コンテンツのコンテンツアドレス、該コンテンツの著作権情報及び前記ウェブページの作成指示の受け付けが可能な指示受付部を表示する表示用情報を受信する処理を行う手段と、受信した前記著作権情報を、受信した前記コンテンツアドレスに対応づけて記憶する手段と、受信した前記表示用情報に応じた指示受付部を、受信した前記コンテンツと共に表示する処理を行う手段と、前記指示受付部で作成指示を受け付けた場合、記憶する中から、前記指示受付部と共に表示される前記コンテンツに係るコンテンツアドレス及び該コンテンツアドレスに対応づけられた前記著作権情報を抽出する手段と、抽出した前記コンテンツアドレス及び著作権情報を作成中のウェブページに埋め込む手段として機能させることを特徴とする。
【００２４】
本発明に係るコンピュータプログラムは、通信手段及び記憶手段を有するコンピュータに、コンテンツに係るウェブページを作成させるコンピュータプログラムにおいて、コンピュータを、外部から前記通信手段で、コンテンツ、該コンテンツのコンテンツアドレス、前記ウェブページの作成指示の受け付けが可能な指示受付部を表示する表示用情報及び該表示用情報にリンクさせた外部サーバコンピュータのアドレスを受信する処理を行う手段と、受信した前記コンテンツアドレスを前記記憶手段に記憶する処理を行う手段と、受信した前記表示用情報に応じた指示受付部を、前記コンテンツと共に表示する処理を行う手段と、前記指示受付部で作成指示を受け付けた場合、該指示受付部にリンクさせた外部サーバコンピュータのアドレスに基づき、前記指示受付部と共に表示される前記コンテンツに係るコンテンツアドレスを前記記憶手段から抽出して外部サーバコンピュータへ前記通信手段で送信する処理を行う手段として機能させることを特徴とする。
【００２５】
本発明にあっては、情報紹介システムはコンテンツが格納されたウェブサーバ及び該ウェブサーバに通信網を介して接続され、前記コンテンツを紹介するためのウェブページを作成する作成装置から構成される。ウェブサーバは、コンテンツ、該コンテンツの著作権情報及び該コンテンツの紹介を実行するための実行情報を作成装置へ送信する。作成装置は、送信されたコンテンツ、著作権情報及び実行情報を受信する。作成装置は、送信された実行情報に関連して、コンテンツの紹介が実行されたと制御部が判断した場合、制御部は送信されたコンテンツの著作権情報を抽出する。そして、ウェブページを作成するための作成プログラムに、コンテンツのアドレス及び抽出した著作権情報を制御部により送出する。
【００２６】
そして、作成装置は、コンテンツに関するコメントを入力部から受け付け、この受け付けたコメントに対応づけて送出されたコンテンツのアドレス及び著作権情報を、通信網を介して接続される公開用サーバコンピュータへ制御部により出力する。このように、ユーザが紹介を希望するコンテンツの紹介を実行することにより、当該コンテンツの著作権情報が、作成プログラムへ送出されて、公開用サーバコンピュータへ出力されるので、コンテンツを管理するウェブサイト管理者及びユーザの手を煩わせることなく、簡単な処理により著作物を適切に保護することが可能となる。
【００２７】
また、本発明にあっては、ウェブサーバはコンテンツの公開を許可する期間情報を作成装置へ送信する。この期間情報を受信した作成装置の制御部は、当該送信された期間情報に基づいて、コンテンツの紹介期間が終了する旨の情報を表示するので、ユーザはニュース等のウェブサイトにおいて画像の掲載期間が決まっているサイトを紹介する場合でも、容易に掲載期間の終了時期を把握できることになる。
【００２８】
また、本発明にあっては、作成装置の制御部は、紹介を拒否するアクセス先の拒否アドレスを記憶部に記憶する。作成装置は、コンテンツに対して受け付けたコメントに対応づけて、コンテンツのアドレス、著作権情報及び当該コンテンツに対応する拒否アドレスを公開用サーバコンピュータへ出力する。そして、公開用サーバコンピュータは、この拒否アドレス情報及びアクセスを試みるコンピュータのアドレスを参照することにより、当該コンテンツの閲覧を制限するようにしたので、ユーザは各国の道徳または法律に応じて閲覧規制を課すことが可能であり、またコンテンツを提供するウェブサイト管理者も、安心してユーザによるコンテンツの紹介を許可することが可能となる。
【００２９】
また、本発明にあっては、作成装置は紹介するコンテンツの選択を入力部から受け付ける。そして受け付けたコンテンツのアドレス及び著作権情報を制御部により抽出する。制御部は、ウェブページを作成するための作成プログラムに、コンテンツのアドレス及び抽出した著作権情報を送出する。作成装置は、コンテンツに関するコメントを入力部から受け付け、受け付けたコメントに対応づけて送出されたコンテンツのアドレス及び著作権情報を出力するように構成したので、著作権を考慮しつつ、ユーザは容易にウェブサイトに展開されたコンテンツを紹介することが可能となる。
【００３０】
また、本発明にあっては、情報紹介システムは、コンテンツが格納されたウェブサーバ、コンテンツを紹介するためのウェブページを作成する作成装置及びコンテンツの公開用サーバコンピュータが相互に通信網を介して接続されている。まずウェブサーバは、作成装置の制御部からの要求に応じて、コンテンツ、コンテンツの紹介を実行するための実行情報及び公開用サーバコンピュータのアドレスを送信する。作成装置は、送信された実行情報に関連して、コンテンツの紹介が実行された場合、送信された公開用サーバコンピュータのアドレスを参照して、公開用サーバコンピュータへアクセスすると共に、コンテンツのアドレスを公開用サーバコンピュータへ制御部により送信する。公開用サーバコンピュータの公開用制御部は、送信されたコンテンツのアドレスを受信し、当該コンテンツのアドレスを参照して、ウェブサーバへアクセスする。そして、公開用制御部はウェブサーバに対し、コンテンツのアドレスに係る著作権情報の取得要求を行う。ウェブサーバはこの取得要求に応じてコンテンツに対応する著作権情報を公開用サーバコンピュータへ送信する。これにより公開用サーバコンピュータの公開制御部はコンテンツの著作権情報を取得する。公開用サーバコンピュータの公開用制御部は取得した著作権情報及びコンテンツのアドレスを対応づけて記憶する。
【００３１】
さらに作成装置は、コンテンツに関するコメントを入力部から受け付け、受け付けたコメントを公開用サーバコンピュータへ制御部により出力する。公開用サーバコンピュータは、作成装置から送信されたコメントを、すでに記憶したコンテンツのアドレス及び著作権情報に対応づけて記憶する。このように、ユーザのコンテンツの紹介実行があった場合に、著作権情報を取得するようにしたので、コンテンツを簡単な構成で的確に保護することが可能となる。
【発明の効果】
【００３２】
本発明にあっては、作成装置は、送信された実行情報に関連して、コンテンツの紹介が実行された場合、送信されたコンテンツの著作権情報を抽出し、ウェブページを作成するための作成プログラムに、コンテンツのアドレス及び抽出した著作権情報を送出するので、コンテンツを管理するウェブサイト管理者及びユーザの手を煩わせることなく、簡単な処理により著作物を適切に保護することが可能となる。
【００３３】
また、本発明にあっては、期間情報を受信した作成装置は、当該送信された期間情報に基づいて、コンテンツの紹介期間が終了する旨の情報を表示するので、ユーザはニュース等のウェブサイトにおいて画像の掲載期間が決まっているサイトを紹介する場合でも、容易に掲載期間の終了時期を把握できることになる。
【００３４】
また、本発明にあっては、作成装置は、コンテンツに対応する拒否アドレスを公開用サーバコンピュータへ出力し、公開用サーバコンピュータは、この拒否アドレス情報及びアクセスを試みるコンピュータのアドレスを参照することにより、当該コンテンツの閲覧を制限するようにしたので、ユーザは各国の道徳または法律に応じて閲覧規制を課すことが可能となる。またコンテンツを提供するウェブサイト管理者も、閲覧規制が行われることにより安心してユーザによるコンテンツの紹介を許可することが可能となる。
【００３５】
また、本発明にあっては、受け付けたコンテンツのアドレス及び著作権情報を制御部により抽出し、ウェブページを作成するための作成プログラムに、コンテンツのアドレス及び抽出した著作権情報を送出する。作成装置は、コンテンツに関するコメントを入力部から受け付け、受け付けたコメントに対応づけて送出されたコンテンツのアドレス及び著作権情報を出力するように構成したので、著作権を考慮しつつ、ユーザは簡易な構成でウェブサイトに展開されたコンテンツを紹介することが可能になる。
【００３６】
また、本発明にあっては、コンテンツの紹介が実行された場合、実行情報と共に送信されたアドレスに係る公開用サーバコンピュータが、コンテンツに対応する著作権情報をウェブサーバから取得するようにしたので、コンテンツを紹介するユーザが特に意識することなく著作権に関する情報を表示でき、コンテンツの著作権を適切に保護することが可能となる等、本発明は優れた効果を奏する。
【発明を実施するための最良の形態】
【００３７】
実施の形態１
図１は本発明に係る情報紹介システムの構成を示す概要図である。情報紹介システムＳにはインターネット等の通信網Ｎ（以下、インターネットＮ）を介して、作成装置１、ウェブサーバ２、公開用サーバコンピュータ３及び第３者のコンピュータ４が相互に接続されている。作成装置１は公知のパーソナルコンピュータ等が用いられ、以下では作成装置１をユーザコンピュータ１として説明する。ウェブサーバ２及び公開用サーバコンピュータ３は公知のサーバコンピュータを用いることができ、公開用サーバコンピュータ３をブログサーバ３であるものとして説明する。また第３者のコンピュータ４もパーソナルコンピュータ等が用いられる。以下の実施例においては、紹介するコンテンツを画像とし、ユーザがユーザコンピュータ１を用いて、当該画像をいわゆるブログにより紹介する形式を説明するが、コンテンツは著作権にかかわるものであれば、動画、文章等であってもよい。
【００３８】
ウェブサーバ２はコンテンツを格納しており、インターネットＮを介して該コンテンツが掲示されたウェブページを公開している。なお、本実施の形態においては、ウェブサーバ２は新聞記事に関するウェブページを公開しているが、これに限るものではない。ユーザはユーザコンピュータ１を用いてウェブサーバ２へアクセスし、ウェブページを閲覧する。ユーザはウェブページ内に第３者への公開を希望する画像等のコンテンツが存在する場合、これに関するコメント等を付したブログを作成する。作成されたブログは、ブログサーバ３にアップロード（出力）され、第３者のコンピュータ４によりブログサーバ３へアクセスすることにより、この紹介されたコンテンツ及びこれに関するコメント等を閲覧することができる。
【００３９】
図２はユーザコンピュータ１及びブログサーバ３のハードウェア構成を示すブロック図である。ユーザコンピュータ１は制御部であるＣＰＵ(Central Processing Unit)１１，ＲＡＭ(Random
Access Memory)１２，記憶部１５，入力部１３，表示部１４及び通信部１６を含んで構成される。ＣＰＵ１１は、バス１７を介してユーザコンピュータ１のハードウェア各部と接続されていて、それらを制御すると共に、ハードディスク等の記憶部１５に格納された制御プログラム１５１に従って、種々のソフトウェア的機能を実行する。制御プログラム１５１は、Ｃ言語またはＪＡＶＡ（登録商標）等のプログラミング言語で記述されている。
【００４０】
ＲＡＭ１２は、ＳＲＡＭ(Static Random Access Memory)またはフラッシュメモリ等で構成され、ソフトウェアの実行時に発生する一時的なデータを記憶する。入力部１３は例えばキーボード、マウス等から構成され、ユーザが入力した情報をＣＰＵ１１へ出力する。表示部１４はＬＣＤ(Liquid Crystal Digital)ディスプレイ等で構成される。なお、入力部１３及び表示部１４はタッチパネルにより一体的に構成するようにしても良い。
【００４１】
記憶部１５にはコンテンツを紹介するためのウェブページ、すなわちブログを作成するための作成プログラムとして、ウェブブラウザ１５２が記憶されている。さらに、記憶部１５にはコンテンツの公開を許可するための期間情報ファイル１５３が記憶されている。期間情報ファイル１５３には紹介するコンテンツのＵＲＬ(Uniform Resource Locate)等のアドレスに対応づけて、公開を許可するための期間が記憶されている。
【００４２】
ブログサーバ３は公開用制御部であるＣＰＵ３１，ＲＡＭ３２，記憶部３５，入力部３３，表示部３４及び通信部３６を含んで構成される。ＣＰＵ３１は、バス３７を介してブログサーバ３のハードウェア各部と接続されていて、それらを制御すると共に種々のソフトウェア的機能を実行する。ＲＡＭ３２は、ＳＲＡＭまたはフラッシュメモリ等で構成され、ソフトウェアの実行時に発生する一時的なデータを記憶する。入力部３３は例えばキーボード、マウス等から構成され、ユーザが入力した情報をＣＰＵ３１へ出力する。表示部３４はＬＣＤディスプレイ等で構成される。
【００４３】
記憶部３５には各ユーザがアップロードしたブログファイル３５１，３５１，・・・が記憶されている。権限のあるユーザはブログファイル３５１にアクセスでき、その内容を適宜変更することができる。ブログファイル３５１は第３者に公開されており、第３者は第３者のコンピュータ４にブログファイル３５１に対応するＵＲＬを入力することにより、内容を閲覧することができる。
【００４４】
図３はウェブサーバ２のハードウェア構成を示すブロック図である。ウェブサーバ２もブログサーバ３と同様にＣＰＵ２１，ＲＡＭ２２，記憶部２５，入力部２３，表示部２４及び通信部２６を含んで構成される。各部の機能はブログサーバと同様であるので説明は省略する。記憶部２５にはウェブページファイル２５１、ＩＤ管理ファイル２５２及び期間情報ファイル２５３が記憶されている。
【００４５】
ウェブページファイル２５１にはニュース記事及び画像等のウェブページが随時更新されて記憶されている。ＩＤ管理ファイル２５２は本発明に係る機能を利用することのできるユーザＩＤがパスワードに対応づけて記憶されている。期間情報ファイル２５４にはウェブページ内のコンテンツに対応させて期間情報が記憶されている。すなわち、ニュースに掲載される画像等には契約により掲載期間が決まっており、ＣＰＵ２１は期間情報ファイル２５４のコンテンツに対する期間情報を参照し、期間情報を徒過したと判断した場合は、ウェブページファイル２５１から関連するコンテンツを消去する。
【００４６】
図４はウェブサーバ２にアクセスすることにより表示されるウェブページのイメージを示す説明図である。ユーザコンピュータ１はウェブブラウザ１５２を立ち上げ、ＨＴＴＰ(Hyper Text Transfer Protocol)を用いてウェブサーバ２にアクセスする。ユーザはウェブページの閲覧に先立ちユーザＩＤ及びパスワードを入力部１３から入力する。ＣＰＵ１１は入力されたＩＤ及びパスワードを、通信部１６を介してウェブサーバ２へ送信する。ウェブサーバ２のＣＰＵ２１は通信部２６で受信したＩＤ及びパスワードをもとに、ＩＤ管理ファイル２５２を検索し、ＩＤ管理ファイル２５２に記憶されているＩＤ及びパスワードと一致するか否かを判断する。一致すると判断した場合は、ウェブページファイル２５１内の会員用ウェブページを読み出し、後述する実行情報と共に、ユーザコンピュータ１へ送信する。
【００４７】
ユーザコンピュータ１の表示部１４にはウェブブラウザ１５２により、ウェブページは図４のごとく表示される。ウェブページには日付、記事及び画像（コンテンツ）が表示されるほか、画像の紹介を実行するための実行情報が表示される。実行情報は図４においてブラウザ上に表示される「紹介する」ボタン４１である。ユーザは入力部１３から「紹介する」ボタン４１をクリックすることにより、画像の紹介が可能となる。「紹介する」等の実行情報は、ウェブページファイル内の画像データの近辺に表示されるようＨＴＭＬ(Hyper Text Markup Language)で記述されている。
【００４８】
ユーザはユーザコンピュータ１の入力部１３から画像の紹介が実行、すなわち実行情報である「紹介する」ボタン４１をクリックした場合、制御プログラム１５１に従い、予め起動された作成プログラムであるウェブブラウザ１５２へ画像のアドレス及びこれに付随する著作権情報が送出される。なお、本実施の形態においては画像の下部に実行情報である「紹介する」ボタン４１をウェブブラウザに常時表示するよう構成しているが、入力部１３であるマウスのポインタが画像領域に位置する場合にだけ表示するようにしても良い。この場合、Flash等によりマウスのポインタと画像領域との一致により実行情報がウェブページに表示されるようプログラムを付加すればよい。
【００４９】
図４に示す画像には当該画像のアクセス先を示すアドレス、著作権情報及び期間情報が関連づけてユーザコンピュータ１に送信されている。画像に関連する著作権情報及び時間情報に対応するタグは予め取り決めにより定められている。例えばニュースを取り扱うウェブサイト間ではＩＰＴＣ(International Press Telecommunications Council)による取り決めにより、タグを含めて記事及び画像等に関する取り扱いが定められている。ユーザコンピュータ１のＣＰＵ１１は、制御プログラム１５１に従い、送信された著作権情報及び期間情報に係るタグを参照して、著作権情報及び期間情報を抽出する。抽出された著作権情報は画像のアドレスと共にＲＡＭ１２に格納され、期間情報は期間情報ファイル１５３内に記憶される。
【００５０】
図５は作成プログラムであるウェブブラウザ１５２のイメージを示す説明図である。ユーザはウェブブラウザ１５２を起動し、ブログサーバ３へアクセスする。ユーザの認証後図５に示すブログの編集画面が表示される。ウェブブラウザ１５２にはブログのタイトル入力ボックス５１、日時入力ボックス５２、画像のアドレス入力ボックス５３、コンテンツに対するユーザのコメントを入力する内容ボックス５４等が設けられており、各入力ボックスに入力された情報がＨＴＭＬ文章に変換されてブログサーバ３のブログファイル３５１に保存される。図４において、実行情報である「紹介する」ボタン４１をユーザが入力部１３からクリックして、紹介の実行を開始した場合、ＣＰＵ１１は制御プログラム１５１に従い、日時ボックス５２に現在時刻を記述し、ウェブサーバ２から送信された画像のアドレスをＲＡＭ１２から抽出して、ウェブブラウザ１５２へ送出する。ウェブブラウザ１５２に送出された画像のアドレスは図５に示すように画像のアドレス入力ボックス５３に記述される。
【００５１】
これと同様に、ＣＰＵ１１は制御プログラム１５１に従い、ウェブサーバ２から送信された著作権情報をＲＡＭ１２から抽出して、ウェブブラウザ１５２へ送出する。ウェブブラウザ１５２に送出された著作権情報は図５に示すように内容ボックス５４に記述される。ユーザはこの画像に対するブログを完成させるべく、タイトルボックス５１にブログのタイトルを入力部１３から入力する（図５では「今日の記事」）。また、画像に対するコメントを内容ボックス５４に、記述された著作権情報に続いて、入力部１３から入力する。
【００５２】
ユーザは入力が終了した場合、Ｐｏｓｔボタン５５を入力部１３からクリックする。Ｐｏｓｔボタン５５の操作により、入力項目がＨＴＭＬ文章に変換され、変換後のブログがウェブページ１５２にプレビュー表示される。ユーザはこのプレビューの内容で問題ないと判断した場合、Ｐｕｂｌｉｓｈボタン５６を入力部１３からクリックしてブログの内容をブログサーバ３へアップロードする。このブログはブログサーバ３内のブログファイル３５１に記憶される。
【００５３】
図６はブログのイメージを示す説明図である。第３者がこのブログを閲覧すべくブログサーバ３へアクセスした場合、ＣＰＵ３１はブログファイル３５１からＨＴＭＬ文章を読み出して第３者のコンピュータ４へ送信する。第３者のコンピュータ４のブラウザには図６に示す画面が表示される。コンピュータのブラウザは画像のアドレスを参照してウェブサーバ２へ当該アドレスに係る画像の取得をリクエストして、図６の如く画像を表示する。また、内容ボックス５４に記述した著作権情報及びコメント（この写真の○○氏は親日家として良く知られている。・・・）が画像の下部に表示される。このように、コンテンツの紹介をユーザが実行し、コンテンツをユーザのブログに取り込む場合、ユーザが意識することなく制御プログラム１５１の処理により著作権情報がウェブブラウザ１５２に送出され、ブログに著作権情報が付記されることになる。
【００５４】
ユーザコンピュータ１のＣＰＵ１１は定期的に期間情報ファイル１５３にアクセスし、アップロードした画像に対応づけて記憶された公開を許可する期間情報と、現在の日時とを比較し、公開がまだ可能か否かを判断する。公開を許可する期間を過ぎている場合は、ＣＰＵ１１は紹介期間が終了したことを示す情報を記憶部１５から読み出して表示部１４に警告のため表示する。ユーザは再度ブログサーバ３のブログファイル３５１へアクセスし、アップロードした画像のアドレスまたは該当コメントを削除することができる。
【００５５】
図７乃至図９は制御プログラム１５１に係るブログの作成処理手順を示すフローチャートである。ユーザの入力部１３からの指示に基づき、ＣＰＵ１１はウェブブラウザ１５２を起動する（ステップＳ７１）。入力部１３からのブログサーバ３に係るＵＲＬの入力を条件に、ＣＰＵ１１はブログサーバ３へアクセスする（ステップＳ７２）。ユーザが入力部１３からログインのためＩＤ及びパスワードを入力した場合、ＣＰＵ１１はこれを受け付け、受け付けたＩＤ及びパスワードをブログサーバ３へ送信する（ステップＳ７３）。
【００５６】
ブログサーバ３は、記憶部３５に記憶したＩＤ及びパスワードが、送信されてきたＩＤ及びパスワードに一致するか否かを判断する。ＣＰＵ３１はこの認証に成功しなかった場合は（ステップＳ７４でＮＯ）、処理を終了する。一方、ＣＰＵ３１は認証に成功したと判断した場合（ステップＳ７４でＹＥＳ）、当該ＩＤに対応するブログファイル３５１に係る編集画面をユーザコンピュータ１へ送信する（ステップＳ７５）。ユーザコンピュータ１のＣＰＵ１１は作成プログラムとしてのウェブブラウザ１５２に送信された編集画面を図５の如く表示する（ステップＳ７６）。
【００５７】
続いて、ＣＰＵ１１は別途ウェブブラウザ１５２を起動し、入力部１３から入力されたＵＲＬに基づき、ニュースを配信するウェブサーバ２へアクセスする。ユーザは入力部１３からＩＤ及びパスワードを入力する。ＣＰＵ１１は入力部１３から入力されたＩＤ及びパスワードをウェブサーバ２へ送信する（ステップＳ７７）。ウェブサーバ２は、記憶部２５のＩＤ管理ファイル２５２に記憶したＩＤ及びパスワードが、送信されてきたＩＤ及びパスワードに一致するか否かを判断する。ＣＰＵ２１はこの認証に成功しなかった場合は（ステップＳ７８でＮＯ）、会員以外の一般の画面をユーザコンピュータに送信して（ステップＳ７９）、処理を終了する。一方、ＣＰＵ２１は認証に成功したと判断した場合（ステップＳ７８でＹＥＳ）、ウェブページファイル２５１に記憶されたウェブページを読み出し、会員専用の画面としてユーザコンピュータへ送信する（ステップＳ７１０）。なお、本実施の形態においてはウェブサーバ２においてＩＤ及びパスワードの入力を要求することとしているが、これらの処理を省略するようにしても良い。
【００５８】
ＣＰＵ１１はステップＳ７６で起動されるウェブブラウザ１５２とは別のウインドウに起動されたウェブブラウザ１５２に、送信された会員専用の画面を表示する。ユーザはウェブページ内を閲覧し、ブログの記述を行う記事を入力部１３から選択する（ステップＳ７１１）。入力部１３からのリクエストを受けて、ウェブサーバ２のＣＰＵ２１は当該記事に係るウェブページの情報を送る。ＣＰＵ２１は記事、画像、当該画像のアドレス及びコンテンツの紹介を実行するための実行情報をユーザコンピュータ１へ送信する（ステップＳ７１２）。
【００５９】
ＣＰＵ１１はウェブサーバ２から送信された情報をもとに、図４の如く記事に関するウェブページを表示する。図４に示す如く、記事、画像及び画像の紹介を実行するための実行情報である「紹介する」ボタン４１がウェブブラウザ１５２に表示される（ステップＳ７１３）。さらに、ＣＰＵ２１は画像に付随する著作権情報及び期間情報をウェブページファイル２５１から読み出してユーザコンピュータへ送信する（ステップＳ７１４）。ユーザコンピュータ１は著作権情報を受信した場合、その情報を画像のアドレス情報に対応づけてＲＡＭ１２へ記憶し、また期間情報を受信した場合、これを期間情報ファイル１５３に画像のアドレス情報に対応させて記憶する（ステップＳ７１５）。
【００６０】
ＣＰＵ１１は入力部１３からコンテンツの紹介を実行する実行情報に関連して、コンテンツ紹介の実行がなされた場合、すなわち、画像に関連づけられる「紹介する」ボタン４１が入力部１３から選択された場合（ステップＳ７１６）、ＣＰＵ１１は著作権情報をＲＡＭ１２から抽出する（ステップＳ７１７）。そしてＣＰＵ１１は作成プログラムであるステップＳ７６で起動したウェブブラウザ１５２へ、ステップＳ７１２により送信された画像のアドレス及びステップＳ７１４により送信された著作権情報を送出する（ステップＳ８１）。
【００６１】
ＣＰＵ１１は図５に示す如くウェブブラウザ１５２の画像のアドレス入力ボックス５３に送出された画像アドレスを表示し、さらに内容ボックス５４に送出された著作権情報を表示する。ＣＰＵ１１は入力部１３から入力されたユーザの画像に対するコメントを受け付け（ステップＳ８２）、内容ボックス５４に表示する。入力部１３からＰｏｓｔボタン５５またはＰｕｂｌｉｓｈボタン５６に対する操作を受け付けた場合、ＣＰＵ１１はアドレス入力ボックス５３に表示された画像アドレス、内容ボックス５４に表示された著作権情報及びコメントをブログサーバ３へアップロード（出力）する（ステップＳ８３）。
【００６２】
ブログサーバ３のＣＰＵ３１はアップロードされた画像アドレス、著作権情報及びコメントをユーザのＩＤを参照して対応するブログファイル３５１に記憶する（ステップＳ８４）。第３者のコンピュータ４からブログサーバ３にアクセスがあり、当該ユーザのブログの閲覧要求を受け付けた場合、ＣＰＵ３１はブログファイル３５１にアップロードされた画像アドレス、著作権情報及びコメントを含むブログを第３者のコンピュータ４へ送信する。第３者のコンピュータ４は送信されたブログをウェブブラウザに表示すると共に、送信された画像アドレスを参照して、ウェブサーバ２へ画像の取得を要求する（ステップＳ８５）。
【００６３】
ウェブサーバ２のＣＰＵ２１は画像の取得要求を受けた場合、送信された画像アドレスを参照して、ウェブページファイル２５１から対応する画像を読み出し、通信部２６を介して読み出した画像をリクエスト元の第３者のコンピュータ４へ送信する（ステップＳ８６）。第３者のコンピュータ４は、ブログサーバ３から送信されたＨＴＭＬで記述されたブログ及びウェブサーバ２から送信された画像をウェブブラウザに表示する。ウェブブラウザには送信された画像の近くに、著作権情報がコメントと共に表示される（ステップＳ８７）。
【００６４】
ユーザコンピュータ１のＣＰＵ１１は適宜のタイミングで、ステップＳ７１５で期間情報ファイル１５３に記憶した期間情報と現在日時とを比較し、紹介する画像が紹介期間内であるか否かを判断する（ステップＳ８８）。ＣＰＵ１１は紹介期間内であると判断した場合（ステップＳ８８でＹＥＳ）、紹介期間を経過するまで以上の処理を繰り返す。一方ＣＰＵ１１は紹介期間内でないと判断した場合（ステップＳ８８でＮＯ）、表示部１４に画像の紹介期間が終了する旨の表示を記憶部１５から読み出して表示する（ステップＳ８９）。これによりユーザは画像の紹介期間が過ぎた場合でも、容易にその終了時期を知ることができ、ブログからこの画像に関する記事を削除することが可能となる。
【００６５】
なお、コンテンツが文章等の記事の場合も同様に記事の近くに記事を紹介するための実行情報が表示され、またこの記事に関連づけられている著作権情報がユーザコンピュータ１へ送信される。さらにこの記事に対応するアドレスもユーザコンピュータ１へ送信され、画像と同様の処理が行われることになる。
【００６６】
実施の形態２
実施の形態２はブログの閲覧制限を行う形態に関する。図１０は実施の形態２に係る閲覧制限処理の手順を示すフローチャートである。まず、ユーザコンピュータ１のＣＰＵ１１は入力部１３から紹介ブログの閲覧を制限する拒否アドレスの入力を受け付ける（ステップＳ９１）。この拒否アドレスは例えばＩＰアドレス等が用いられる。ＣＰＵ１１はステップＳ８３と同様に、コメント、画像のアドレス、著作権情報及び受け付けた拒否アドレスをブログサーバ３へアップロードする（ステップＳ９２）。
【００６７】
ブログサーバ３のＣＰＵ３１は、アップロードされたコメント、画像のアドレス、著作権情報及び受け付けた拒否アドレスをユーザのＩＤを参照し、ブログファイル３５１に記憶する（ステップＳ９３）。第３者のコンピュータ４からブログの閲覧要求があった場合、ＣＰＵ３１は閲覧要求のあったコンピュータのＩＰアドレスと、ブログファイル３５１に記憶した拒否アドレスとを比較し、これと一致するか否か判断する（ステップＳ９４）。一致しないと判断した場合（ステップＳ９４でＮＯ）、ＣＰＵ３１はブログファイル３５１から画像アドレス、著作権情報及びコメントの読み出しを行う（ステップＳ９５）。そして閲覧要求をなしたＩＰアドレス先へ読み出した画像アドレス、著作権情報及びコメントの送信を行う（ステップＳ９６）。
【００６８】
第３者のコンピュータ４のウェブブラウザは送信された画像のアドレスを参照してウェブサーバ２に画像の取得要求を行う（ステップＳ９７）。そしてウェブブラウザは送信された画像と共に著作権情報及びコメントを表示する（ステップＳ９８）。一方、拒否アドレスに一致するとＣＰＵ３１が判断した場合（ステップＳ９４でＹＥＳ）、記憶部３５に記憶した閲覧を制限する旨の情報を読み出すと共に、ブログファイル３５１から著作権情報及びコメントを読み出す（ステップＳ９９）。そしてＣＰＵ３１は閲覧制限がある第３者のコンピュータ４に係るＩＰアドレス宛へ読み出した閲覧制限情報、著作権情報及びコメントを送信する（ステップＳ９１０）。これを受信した第３者のコンピュータ４のウェブブラウザは閲覧制限のある画像の表示が行われず、代わりに閲覧制限情報が表示され、また著作権情報及びコメントが表示される（ステップＳ９１１）。このように紹介を行うユーザが閲覧制限を行うことにより、ウェブサーバ２を運営する新聞社等は安心してユーザのブログ作成を許可することが可能となる。
【００６９】
本実施の形態２は以上の如き構成としてあり、その他の構成及び作用は実施の形態１と同様であるので、対応する部分には同一の参照番号を付してその詳細な説明を省略する。
【００７０】
実施の形態３
上述した実施の形態１及び２にユーザコンピュータ１を動作させるためのコンピュータプログラムは、本実施の形態３のようにＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００７１】
図１１は実施の形態３に係るユーザコンピュータ１及びブログサーバ３のハードウェア構成を示すブロック図である。図１１に示すユーザコンピュータ１の図示しない記録媒体読み取り装置に、実行情報を受信させ、著作権情報を抽出させ、アドレス情報及び著作権情報を送出させるプログラムが記録された記録媒体１ａ（ＣＤ−ＲＯＭ、ＭＯ又はＤＶＤ−ＲＯＭ等）を、記憶部１５にインストールする。または、かかるプログラムを、通信部１６を介して外部のコンピュータからダウンロードし、記憶部１５にインストールするようにしても良い。かかるプログラムはユーザコンピュータ１のＲＡＭ１２にロードして実行される。これにより、上述のような本発明のユーザコンピュータ１として機能する。
【００７２】
本実施の形態３は以上の如き構成としてあり、その他の構成及び作用は実施の形態１及び２と同様であるので、対応する部分には同一の参照番号を付してその詳細な説明を省略する。
【００７３】
実施の形態４
コンテンツの紹介処理は、以下に述べるようにユーザコンピュータ１が実行するようにしても良い。図１２はウェブサーバ２にアクセスすることにより表示されるウェブページのイメージを示す説明図である。ウェブブラウザ１５２には実施の形態１と同じくウェブサーバ２から送信された記事が表示されている。ユーザが入力部１３から紹介を希望するコンテンツを右クリック、本例では画像を右クリックした場合、図１１に示す如くウインドウが別途表示され、「プロパティ」等のほか「紹介する」が表示される。
【００７４】
ユーザがこの「紹介する」を入力部１３からクリックした場合、ＣＰＵ１１は画像のアドレス及びこの画像に付随する著作権情報を抽出し、別のウインドウに起動されているウェブブラウザ１５２にこれら抽出した画像アドレス及び著作権情報を送出する。この送出された画像アドレス及び著作権情報は図５の如く表示される。このように実施の形態１で述べた処理をプラグインとしてウェブブラウザ１５２に付加するようにしても良い。
【００７５】
図１３は実施の形態４に係る作成処理の手順を示すフローチャートである。ステップＳ７１〜ステップＳ７６までの処理は実施の形態１と同様であるので説明は省略する。ウェブサーバ２のＣＰＵ２１はユーザコンピュータ１からのリクエストに応じて、ウェブページファイル２５１から、記事、画像、画像のアドレス及び著作権情報を読み出し、ユーザコンピュータ１へ送信する（ステップＳ１２１）。ユーザコンピュータ１のウェブブラウザ１５２は送信された記事を図１２の如く表示する（ステップＳ１２２）。ＣＰＵ１１は入力部１３から、ユーザが画像の紹介を行うべく、画像の選択を受け付けたか否かを判断する（ステップＳ１２３）。画像の選択を受け付けていないと判断した場合（ステップＳ１２３でＮＯ）、ＣＰＵ１１は作成処理を終了する。
【００７６】
一方、ＣＰＵ１１は画像の選択を受け付けたと判断した場合（ステップＳ１２３でＹＥＳ）、例えば、入力部１３から画像領域上で右クリックされた場合、図１２の如くウェブブラウザ１５２のウインドウ上に紹介コマンド（図中「紹介する」）を表示する（ステップＳ１２４）。なお、コンテンツが記事等の文章の場合は、紹介する記事を入力部１３からドラッグして対象範囲を指定し、そして当該対象範囲を右クリックした場合に、図１２の如くウェブブラウザ１５２のウインドウ上に紹介コマンド（図中「紹介する」）を表示すればよい。ユーザは画像の紹介を希望する場合は入力部１３から紹介コマンドを選択する。ＣＰＵ１１はこの紹介コマンドを受け付け（ステップＳ１２５）、画像のアドレス及び著作権情報を抽出する（ステップＳ１２６）。
【００７７】
そして、ＣＰＵ１１はステップＳ７１で起動された作成プログラムである別のウェブブラウザ１５２へ抽出した画像アドレス及び著作権情報を送出する（ステップＳ１２７）。なお、これ以降の処理は実施の形態１で説明したものと同様であるので説明は省略する。
【００７８】
本実施の形態に係るユーザコンピュータ１の機能を実現するためのコンピュータプログラムは、ＣＤ−ＲＯＭ、ＭＯ等の可搬型記録媒体で提供することも可能である。さらに、コンピュータプログラムを回線経由で搬送波として伝搬させて提供することも可能である。以下に、その内容を説明する。
【００７９】
図１４は実施の形態４に係るユーザコンピュータ１及びブログサーバ３のハードウェア構成を示すブロック図である。図１４に示すユーザコンピュータ１の図示しない記録媒体読み取り装置に、紹介コンテンツの選択を受け付けさせ、アドレス情報及び著作権情報を抽出させ、アドレス情報及び著作権情報を送出させるプログラムが記録された記録媒体１１ａ（ＣＤ−ＲＯＭ、ＭＯ又はＤＶＤ−ＲＯＭ等）を、記憶部１５のウェブブラウザ１５２にプラグインソフトウェアとしてインストールする。または、かかるプログラムを、通信部１６を介して外部のコンピュータからダウンロードし、ウェブブラウザ１５２のプラグインソフトとしてインストールするようにしても良い。かかるプログラムはユーザコンピュータ１のＲＡＭ１２にロードして実行される。これにより、上述のような本発明のユーザコンピュータ１として機能する。
【００８０】
本実施の形態４は以上の如き構成としてあり、その他の構成及び作用は実施の形態１乃至３と同様であるので、対応する部分には同一の参照番号を付してその詳細な説明を省略する。
【００８１】
実施の形態５
実施の形態１においてはユーザコンピュータ１において著作権情報を取得してブログサーバ３へアップロードする形態としたが、ブログサーバ３において著作権情報の取得を行う形態であっても良い。以下にその内容を、フローチャートを用いて説明する。図１５は実施の形態５に係る作成処理の手順を示すフローチャートである。ステップＳ７１〜ステップＳ７１１までの処理は実施の形態１と同様であるので説明は省略する。ステップＳ７１１以降、ウェブサーバ２のＣＰＵ２１は選択された記事、画像、実行情報及びブログサーバ３のアドレスをユーザコンピュータ１へ送信する（ステップＳ１５１）。
【００８２】
この送信される実行情報は実施の形態１で述べたものに加え、ブログサーバ３へアクセスするためのアドレスが記述されたハイパーリンクが記述されている。すなわち「紹介する」ボタン４１を表示するためのＨＴＭＬに加え、ブログサーバ３のＵＲＬが記述されたＨＴＭＬが挿入され図４に示す画面がウェブブラウザ１５２に表示される。ユーザコンピュータ１のＣＰＵ１１はウェブブラウザ１５２に記事、画像及びブログサーバ３に対するハイパーリンクが付加された実行情報を表示部１４に表示する（ステップＳ１５２）。ユーザの入力部１３からの指示により画像の紹介が実行された場合（ステップＳ１５３）、すなわちＣＰＵ１１が入力部１３から「紹介する」ボタン４１のクリックに伴い、ブログサーバ３に係るハイパーリンクへのアクセス要求があったと判断した場合、ブログサーバ３にアクセスするとともに、ＣＰＵ１１は当該紹介する画像のアドレスを、ウェブブラウザ１５２から抽出してブログサーバ３へ送信する（ステップＳ１５４）。
【００８３】
ブログサーバ３のＣＰＵ１１はすでにログインしているユーザコンピュータ１からのアクセスに伴い画像のアドレスが送信された場合、当該送信されたアドレスを記憶部３５内のブログファイル３５１に記憶する。そして、ＣＰＵ３１は送信された画像のアドレスを参照して、ウェブサーバ２へアクセスし、紹介する画像のアドレスに対応する著作権情報の取得要求を行う（ステップＳ１５５）。ウェブサーバ２のＣＰＵ２１は紹介する画像のアドレスに対応する著作権情報をウェブページファイル２５１から読み出してブログサーバ３へ送信する（ステップＳ１５６）。なお、著作権情報の取得は次のように行っても良い。ＣＰＵ３１がユーザコンピュータ１から送信された画像のアドレスを参照して、ウェブサーバ２へアクセスし、画像及び当該画像に関連づけられている著作権情報を受信する。このように、ウェブサーバ２のウェブページファイル２５１に記憶されている画像及び画像の著作権情報を同時に受信するほか、著作権情報のみを受信する等適宜の手段をとればよい。
【００８４】
ブログサーバ３のＣＰＵ３１は送信された著作権情報をブログファイル３５１に記憶した画像のアドレスに対応づけて記憶する（ステップＳ１５７）。以上の処理により、ユーザが紹介を希望する画像のアドレス及び著作権情報が対応づけられて、ユーザのブログにアップロードされることになる。続いて、ユーザは紹介する画像に対するコメントを記載すべく、入力部１３からコメントを入力する。ＣＰＵ１１は入力部１３から入力されたコメントを受け付け（ステップＳ１５８）、Ｐｏｓｔボタン５５またはＰｕｂｌｉｓｈボタン５６の入力部１３からの操作をトリガーに、入力されたコメントをブログサーバ３にアップロードする（ステップＳ１５９）。
【００８５】
ブログサーバ３のＣＰＵ３１は送信されたコメントを当該ユーザのブログファイル３５１に記憶した著作権情報及び画像アドレスに対応づけて記憶する（ステップＳ１５１０）。以降の処理はステップＳ８５で述べたものと同様であるので詳細な説明は省略する。このようにしてブログファイル３５１に記憶されたブログは、第３者のコンピュータ４からのアクセスに伴い閲覧することが可能であるが、その際にはコメントに対応づけて画像のアドレス、著作権情報がブログファイル３５１に読み出されて表示され、ブログサーバ３側においても簡単な操作で、コンテンツの著作権を保護することが可能となる。
【図面の簡単な説明】
【００８６】
【図１】本発明に係る情報紹介システムの構成を示す概要図である。
【図２】ユーザコンピュータ及びブログサーバのハードウェア構成を示すブロック図である。
【図３】ウェブサーバのハードウェア構成を示すブロック図である。
【図４】ウェブサーバにアクセスすることにより表示されるウェブページのイメージを示す説明図である。
【図５】作成プログラムであるウェブブラウザのイメージを示す説明図である。
【図６】ブログのイメージを示す説明図である。
【図７】制御プログラムに係るブログの作成処理手順を示すフローチャートである。
【図８】制御プログラムに係るブログの作成処理手順を示すフローチャートである。
【図９】制御プログラムに係るブログの作成処理手順を示すフローチャートである。
【図１０】実施の形態２に係る閲覧制限処理の手順を示すフローチャートである。
【図１１】実施の形態３に係るユーザコンピュータ及びブログサーバのハードウェア構成を示すブロック図である。
【図１２】ウェブサーバにアクセスすることにより表示されるウェブページのイメージを示す説明図である。
【図１３】実施の形態４に係る作成処理の手順を示すフローチャートである。
【図１４】実施の形態４に係るユーザコンピュータ及びブログサーバのハードウェア構成を示すブロック図である。
【図１５】実施の形態５に係る作成処理の手順を示すフローチャートである。
【符号の説明】
【００８７】
１      ユーザコンピュータ（作成装置）
１ａ    記録媒体
２      ウェブサーバ
３      ブログサーバ（公開用サーバコンピュータ）
４      第３者のコンピュータ
１１    ＣＰＵ（制御部）
１１ａ  記録媒体
１３    入力部
１４    表示部
１５    記憶部
１６    通信部
２５    記憶部
３１    ＣＰＵ（公開用制御部）
３５    記憶部
４１    「紹介する」ボタン（実行情報）
５３    アドレス入力ボックス
５４    内容ボックス
１５１  制御プログラム
１５２  ウェブブラウザ（作成プログラム）
１５３  期間情報ファイル
２５１  ウェブページファイル
２５３  期間情報ファイル
３５１  ブログファイル
Ｎ      通信網（インターネット）
Ｓ      情報紹介システム